(57)【要約】  空気調和装置は、圧縮機、冷媒流路切替装置、熱源側熱交換器、絞り装置、熱媒体熱交換器及びアキュムレータが冷媒配管で接続され、冷媒を循環させる冷媒回路と、ポンプ、熱媒体熱交換器、熱媒体流量調整装置及び負荷側熱交換器が熱媒体配管で接続され、熱媒体を循環させる熱媒体回路と、冷媒回路内に、圧縮機から吐出された冷媒が熱源側熱交換器及び熱媒体熱交換器の少なくともどちらか１つをバイパスするように設けられた、少なくとも１つ以上のバイパス配管と、バイパス配管の管路の途中に設けられたバイパス開閉装置と、バイパス開閉装置を制御し、アキュムレータ内に過熱度の大きい低圧のガス冷媒を流入させる起動制御機能を実施する制御装置と、を有するものである。
2021014644.tif 000002
【特許請求の範囲】
【請求項１】
圧縮機、冷媒流路切替装置、熱源側熱交換器、絞り装置、熱媒体熱交換器及びアキュムレータが冷媒配管で接続され、冷媒を循環させる冷媒回路と、
ポンプ、前記熱媒体熱交換器、熱媒体流量調整装置及び負荷側熱交換器が熱媒体配管で接続され、熱媒体を循環させる熱媒体回路と、
前記冷媒回路内に、前記圧縮機から吐出された前記冷媒が前記熱源側熱交換器及び前記熱媒体熱交換器の少なくともどちらか１つをバイパスするように設けられた、少なくとも１つ以上のバイパス配管と、
前記バイパス配管の管路の途中に設けられたバイパス開閉装置と、
前記バイパス開閉装置を制御し、前記アキュムレータ内に過熱度の大きい低圧のガス冷媒を流入させる起動制御機能を実施する制御装置と、を有する空気調和装置。
【請求項２】
圧縮機、冷媒流路切替装置、熱源側熱交換器、絞り装置、負荷側熱交換器及びアキュムレータが冷媒配管で接続され、冷媒を循環させる冷媒回路と、
前記冷媒回路内に、前記圧縮機から吐出された前記冷媒が前記熱源側熱交換器及び前記負荷側熱交換器の少なくともどちらか１つをバイパスするように設けられた、少なくとも１つ以上のバイパス配管と、
前記バイパス配管の管路の途中に設けられたバイパス開閉装置と、
前記バイパス開閉装置を制御し、前記アキュムレータ内に過熱度の大きい低圧のガス冷媒を流入させる起動制御機能を実施する制御装置と、を有する空気調和装置。
【請求項３】
前記制御装置は、
前記ポンプ及び前記熱媒体流量調整装置を動かした後に、前記圧縮機を動かす請求項１記載の空気調和装置。
【請求項４】
室外の周囲温度を検知する室外温度検出装置、前記圧縮機の吐出圧力を検知する第１圧力検出装置、または、前記圧縮機の吸入圧力を検知する第２圧力検出装置の内、いずれか１つ以上を更に有しており、
前記制御装置は、
空調運転を開始する際に、前記室外温度検出装置、前記第１圧力検出装置、または、前記第２圧力検出装置の内、少なくともいずれか１つ以上の検出値に基づいて、前記検出値が設定値以下の場合に前記起動制御機能を実施する請求項１〜３のいずれか１項に記載の空気調和装置。
【請求項５】
室外の周囲温度を検知する室外温度検出装置、前記圧縮機の吐出圧力を検知する第１圧力検出装置、または、前記圧縮機の吸入圧力を検知する第２圧力検出装置の内、いずれか１つ以上を更に有しており、
前記制御装置は、
空気調和装置が停止中に、設定された時間の間隔ごとに、前記室外温度検出装置、前記第１圧力検出装置、または、前記第２圧力検出装置の内の少なくともいずれか１つ以上の検出値に基づいて、前記検出値が設定値以下の場合に前記起動制御機能を実施する請求項１〜３のいずれか１項に記載の空気調和装置。
【請求項６】
前記制御装置は、
前記第１圧力検出装置もしくは前記第２圧力検出装置の内の少なくとも１つ以上の前記検出値が閾値以下の場合、または、前記起動制御機能の開始からの経過時間が設定時間に達した場合に前記起動制御機能を終了させる請求項４又は５に記載の空気調和装置。
【請求項７】
前記制御装置は、
冷房運転開始時に、少なくとも１つ以上の前記バイパス開閉装置を開状態にして前記圧縮機を運転する請求項１〜６のいずれか１項に記載の空気調和装置。
【請求項８】
前記制御装置は、
冷房運転開始時に前記冷媒流路切替装置を暖房運転時の向きに切り替え、少なくとも１つ以上の前記バイパス開閉装置を開状態にし、前記圧縮機を運転する請求項１〜７のいずれか１項に記載の空気調和装置。
【請求項９】
前記制御装置は、
暖房運転開始時に、少なくとも１つ以上の前記バイパス開閉装置を開状態にして前記圧縮機を運転する請求項１〜６のいずれか１項に記載の空気調和装置。
【請求項１０】
前記圧縮機と、前記冷媒流路切替装置と、前記熱源側熱交換器と、前記アキュムレータとを少なくとも筐体の内部に収納した室外機を複数有し、
複数の前記室外機のそれぞれは、前記起動制御機能による動作を実施する請求項１〜９のいずれか１項に記載の空気調和装置。
【請求項１１】
前記負荷側熱交換器を少なくとも筐体の内部に収納した室内機を複数有し、
複数の前記室内機の中の一部の前記室内機による冷房運転と、他の一部の前記室内機による暖房運転とが同時に行われる空調運転モードを備えている請求項１〜１０のいずれか１項に記載の空気調和装置。
【発明の詳細な説明】
【技術分野】
【０００１】
本発明は、冷媒回路を有する空気調和装置に関するものである。
【背景技術】
【０００２】
現在のビル用マルチエアコン等の空気調和装置では、室外機と複数台の室内機とを接続する冷媒配管の総延長が数百ｍになることがある。このように冷媒配管の長い空気調和装置では、空気調和装置に使用される冷媒量が非常に多くなる。そのため、このような空気調和装置において冷媒漏れが発生した場合、一つの部屋に大量の冷媒が漏れてしまう可能性がある。【０００３】
また、近年では地球温暖化の観点から地球温暖化係数が低い冷媒への転換が求められているが、地球温暖化係数が低い冷媒は可燃性を有しているものが多い。今後、地球温暖化係数が低い冷媒に転換が進んだ場合、安全性への配慮が更に必要になる。【０００４】
前述のような課題、すなわち、冷媒量の削減及び可燃性を有する冷媒に対する安全性の配慮という問題を解決するために、二次ループ方式を採用した空気調和装置が提案されている（例えば、特許文献１参照）。特許文献１の空気調和装置は、一次側ループ（冷媒循環回路）には冷媒を循環させ、また、二次側ループ（熱媒体循環回路）には有害でない水またはブラインなどの熱媒体を循環させ、冷媒の温熱または冷熱を熱媒体に伝達させている。特許文献１の空気調和装置は、当該構成を有することで、冷媒量の削減することができ、また、可燃性を有する冷媒に対する室内の安全性を確保することができる。
【先行技術文献】
【特許文献】
【０００５】
【特許文献１】国際公開第２０１２／０７３２９３号
【発明の概要】
【発明が解決しようとする課題】
【０００６】
しかし、特許文献１の空気調和装置は、室外の温度が低い運転条件の場合に冷媒が室外機に搭載されているアキュムレータ等に溜まってしまうため、空気調和装置の起動時に冷凍サイクルの圧力が上がらない場合がある。このような場合、空気調和装置は、冷房運転時には二次ループの熱媒体が凍結し、あるいは、暖房運転時には室外機に搭載されている熱交換器に着霜が生じることで、所定の能力を発揮できない状態となってしまう。【０００７】
本発明は、上記のような課題を解決するものであり、室外の温度が低い運転条件においても能力の低下を抑制できる空気調和装置を提供するものである。
【課題を解決するための手段】
【０００８】
本発明に係る空気調和装置は、圧縮機、冷媒流路切替装置、熱源側熱交換器、絞り装置、熱媒体熱交換器及びアキュムレータが冷媒配管で接続され、冷媒を循環させる冷媒回路と、ポンプ、熱媒体熱交換器、熱媒体流量調整装置及び負荷側熱交換器が熱媒体配管で接続され、熱媒体を循環させる熱媒体回路と、冷媒回路内に、圧縮機から吐出された冷媒が熱源側熱交換器及び熱媒体熱交換器の少なくともどちらか１つをバイパスするように設けられた、少なくとも１つ以上のバイパス配管と、バイパス配管の管路の途中に設けられたバイパス開閉装置と、バイパス開閉装置を制御し、アキュムレータ内に過熱度の大きい低圧のガス冷媒を流入させる起動制御機能を実施する制御装置と、を有するものである。【０００９】
本発明に係る空気調和装置は、圧縮機、冷媒流路切替装置、熱源側熱交換器、絞り装置、負荷側熱交換器及びアキュムレータが冷媒配管で接続され、冷媒を循環させる冷媒回路と、冷媒回路内に、圧縮機から吐出された冷媒が熱源側熱交換器及び負荷側熱交換器の少なくともどちらか１つをバイパスするように設けられた、少なくとも１つ以上のバイパス配管と、バイパス配管の管路の途中に設けられたバイパス開閉装置と、バイパス開閉装置を制御し、アキュムレータ内に過熱度の大きい低圧のガス冷媒を流入させる起動制御機能を実施する制御装置と、を有すものである。
【発明の効果】
【００１０】
本発明に係る空気調和装置は、バイパス開閉装置を制御し、アキュムレータ内に過熱度の大きい低圧のガス冷媒を流入させる起動制御機能を実施する制御装置を有するものである。そのため、空気調和装置は、室外の温度が低い運転条件においてもアキュムレータに溜まってしまった液冷媒をガス化させることで冷媒回路内に冷媒を循環させることができる。その結果、空気調和装置は、室外の温度が低い運転条件においても冷房運転時の熱媒体の凍結、あるいは、暖房運転時の熱源側熱交換器の着霜に起因する能力の低下を抑制できるものである。
【図面の簡単な説明】
【００１１】
【図１】実施の形態１に係る空気調和装置の回路構成の一例を示す概略回路構成図である。
【図２】実施の形態１に係る空気調和装置の制御に関する構成例を示すブロック図である。
【図３】実施の形態１に係る空気調和装置の冷房運転モード時における冷媒及び熱媒体の流れを示す回路図である。
【図４】実施の形態１に係る空気調和装置の暖房運転モード時における冷媒及び熱媒体の流れを示す回路図である。
【図５】実施の形態１に係る空気調和装置の冷房起動制御機能及び暖房起動制御機能の動作を示すフローチャートである。
【図６】実施の形態１に係る空気調和装置の冷房起動制御機能及び暖房起動制御機能の動作を示す他の例のフローチャートである。
【図７】実施の形態２に係る空気調和装置の回路構成の一例を示す概略回路構成図である。
【図８】実施の形態２に係る空気調和装置の冷房運転モード時における冷媒の流れを示す回路図である。
【図９】実施の形態２に係る空気調和装置の暖房運転モード時における冷媒の流れを示す回路図である。
【図１０】実施の形態２に係る空気調和装置の冷房起動制御機能及び暖房起動制御機能の動作を示すフローチャートである。
【図１１】実施の形態３に係る空気調和装置の回路構成の一例を示す概略回路構成図である。
【図１２】実施の形態３に係る空気調和装置の冷房起動制御機能の動作を示すフローチャートである。
【発明を実施するための形態】
【００１２】
以下、実施の形態に係る空気調和装置１００について図面等を参照しながら説明する。なお、図面の形態は一例であり、本発明を限定するものではない。また、各図において同一の符号を付したものは、同一のまたはこれに相当するものであり、これは明細書の全文において共通している。さらに、以下の図面では、各構成部材の相対的な寸法の関係及び形状等が実際のものとは異なる場合がある。
【００１３】
実施の形態１．
［空気調和装置１００］
図１は、実施の形態１に係る空気調和装置１００の回路構成の一例を示す概略回路構成図である。図１に基づいて、空気調和装置１００の詳しい構成について説明する。この空気調和装置１００は、一次ループである冷媒回路１０１と二次ループである熱媒体回路１０２とで構成されている。空気調和装置１００は、一次ループである冷媒回路１０１の冷凍サイクルを利用して生成された冷熱または温熱を、二次ループである熱媒体回路１０２に伝えて利用することで、室内の空調を行うものである。空気調和装置１００は、冷媒回路１０１で生成した温熱または冷熱を、熱媒体熱交換器６１で熱媒体へ伝え、負荷側熱交換器５３で室内空気を空調する。
【００１４】
空気調和装置１００は、室外機１と、熱媒体変換機６０と、室内機２とを有する。図１に示す空気調和装置１００は、室外機１と熱媒体変換機６０とが冷媒主管３で接続され一次ループである冷媒回路１０１を構成し、熱媒体変換機６０と室内機２とが熱媒体配管６４で接続され二次ループである熱媒体回路１０２を構成している例を示している。図１に示すように、冷媒回路１０１は、圧縮機１０、冷媒流路切替装置１１、熱源側熱交換器１２、絞り装置４１、熱媒体熱交換器６１及びアキュムレータ１３が冷媒配管４で接続され、冷媒を循環させる。また、熱媒体回路１０２は、ポンプ６２、熱媒体熱交換器６１、熱媒体流量調整装置６３及び負荷側熱交換器５３が熱媒体配管６４で接続され、熱媒体を循環させる。図１で示す空気調和装置１００は、室内機２が１台の場合を例として示しているが、室内機２が複数台接続されていてもよい。空気調和装置１００は、運転する全室内機が冷房を行う全冷房運転モードまたは全室内機が暖房を行う全暖房運転モードを選択できるものである。
【００１５】
［室外機１］
室外機１は、圧縮機１０と、冷媒流路切替装置１１と、熱源側熱交換器１２と、アキュムレータ１３とを有する。圧縮機１０、冷媒流路切替装置１１、熱源側熱交換器１２及びアキュムレータ１３は、冷媒配管４で接続されている。また、室外機１は、室外送風機１４を有する。室外送風機１４は、熱源側熱交換器１２の付近に配置されている。室外送風機１４は、熱源側熱交換器１２に空気を送風する。
【００１６】
圧縮機１０は、低温低圧の冷媒を吸入し、その冷媒を圧縮して高温高圧の状態にして吐出する。ここで、圧縮機１０は、インバータ装置を備えていてもよく、インバータ装置によって運転周波数を変化させて、圧縮機１０の容量を変更することができるように構成されてもよい。
【００１７】
冷媒流路切替装置１１は、例えば四方弁であり、冷媒流路の方向の切り替えが行われる装置である。冷媒流路切替装置１１は、冷房運転モード時における冷媒の流れと、暖房運転モード時における冷媒の流れとを切り替えるものである。
【００１８】
熱源側熱交換器１２は、冷媒と室外空気との熱交換を行う。熱源側熱交換器１２は、暖房運転時には蒸発器の働きをし、冷媒配管４から流入した低圧の冷媒と室外空気との間で熱交換を行って冷媒を蒸発させて気化させる。熱源側熱交換器１２は、冷房運転時には、凝縮器の働きをし、冷媒流路切替装置１１側から流入した圧縮機１０で圧縮された冷媒と室外空気との間で熱交換を行って、冷媒を凝縮させて液化させる。熱源側熱交換器１２には、冷媒と室外空気との間の熱交換の効率を高めるために、室外送風機１４が隣接して配置されている。
【００１９】
アキュムレータ１３は、余剰冷媒を貯留する冷媒貯留機能と、運転状態が変化する際に一時的に発生する液冷媒を滞留させることによる気液分離機能とを有している。室外機１は、アキュムレータ１３の気液分離機能によって圧縮機１０で液圧縮が行われることを防ぐことができる。
【００２０】
室外機１は、第１バイパス配管３０と、第１バイパス開閉装置３１と、第２バイパス配管３２と、第２バイパス開閉装置３３とを有する。空気調和装置１００は、冷媒回路１０１内に、圧縮機１０から吐出された冷媒が熱源側熱交換器１２及び熱媒体熱交換器６１の少なくともどちらか１つをバイパスするように設けられた、少なくとも１つ以上のバイパス配管を有している。
【００２１】
第１バイパス配管３０は、圧縮機１０の吐出側とアキュムレータ１３の吸入側とをバイパスする。第１バイパス開閉装置３１は、第１バイパス配管３０の管路の途中に設けられている。第２バイパス配管３２は、熱源側熱交換器１２の前後の冷媒配管４をバイパスさせ、熱源側熱交換器１２の吸入側と突出側とをバイパスさせる。すなわち、第２バイパス配管３２は、熱源側熱交換器１２と並列に設けられている。第２バイパス開閉装置３３は、第２バイパス配管３２の管路の途中に設けられている。第１バイパス開閉装置３１及び第２バイパス開閉装置３３は、バイパス配管内の冷媒の流れを遮断するものである。第１バイパス開閉装置３１及び第２バイパス開閉装置３３は、冷媒の流れを遮断できるものであればよく、例えば、電磁弁等で構成するとよい。
【００２２】
室外機１は、第１圧力検出装置２０と、第２圧力検出装置２１とを有する。第１圧力検出装置２０及び第２圧力検出装置２１は、冷媒の圧力を検出する圧力検出装置である。
【００２３】
第１圧力検出装置２０は、圧縮機１０の吐出側と冷媒流路切替装置１１とを繋ぐ冷媒配管４に設けられている。第１圧力検出装置２０は、圧縮機１０により圧縮され吐出された高温高圧の冷媒の圧力を検出するものである。第２圧力検出装置２１は、冷媒流路切替装置１１と圧縮機１０の吸入側とを繋ぐ冷媒配管４に設けられている。第２圧力検出装置２１は、圧縮機１０に吸入される低温低圧の冷媒の圧力を検出するものである。
【００２４】
また、室外機１は、第１温度検出装置２２を有する。第１温度検出装置２２は、冷媒の温度を検出する温度検出装置である。第１温度検出装置２２は、圧縮機１０の吐出側と冷媒流路切替装置１１とを繋ぐ冷媒配管４に設けられている。第１温度検出装置２２は、圧縮機１０によって圧縮されて吐出された高温高圧の冷媒の温度を検出するものである。第１温度検出装置２２は、例えば、サーミスタ等で構成するとよい。
【００２５】
また、室外機１は、室外温度検出装置２３を有する。室外温度検出装置２３は、室外の周囲温度を検出するものである。室外温度検出装置２３は、例えば、サーミスタ等で構成するとよい。
【００２６】
空気調和装置１００は、室外の周囲温度を検知する室外温度検出装置２３、圧縮機１０の吐出圧力を検出する第１圧力検出装置２０、または、圧縮機１０の吸入圧力を検知する第２圧力検出装置２１の内、いずれか１つ以上を有している。
【００２７】
［熱媒体変換機６０］
熱媒体変換機６０は、冷媒回路１０１の一部と、熱媒体回路１０２の一部との、２つの回路から構成されている。熱媒体変換機６０を構成する冷媒回路１０１は、熱媒体熱交換器６１と、絞り装置４１と、を有する。熱媒体熱交換器６１及び絞り装置４１は、冷媒配管４で接続されている。熱媒体変換機６０を構成する熱媒体回路１０２は、熱媒体熱交換器６１と、ポンプ６２と、熱媒体流量調整装置６３とを有する。熱媒体熱交換器６１、ポンプ６２、熱媒体流量調整装置６３は、熱媒体配管６４で接続されている。熱媒体変換機６０は、機械室、あるいは、天井裏などの空間に設置されるものである。
【００２８】
熱媒体熱交換器６１は、室外機１から供給される冷媒と熱媒体とが熱交換されるものである。熱媒体熱交換器６１は、例えば、プレート式熱交換器等で構成するとよい。室内機２は、熱媒体熱交換器６１で冷媒から熱媒体へ熱交換させた熱を利用して、冷房運転もしくは暖房運転をすることができる。
【００２９】
絞り装置４１は、減圧弁、あるいは、膨張弁としての機能を有し、冷媒を減圧して膨張させるものである。熱媒体熱交換器６１の出口過熱度、あるいは、過冷却度を調整するように絞り装置４１を動かすと、効率の良い熱媒体変換機６０の運転を行うことができる。そのため、絞り装置４１は、開度を制御できるものが望ましく、例えば、電子式膨張弁等で構成するとよい。
【００３０】
ポンプ６２は、熱媒体回路１０２を構成する熱媒体配管６４の内部を流れる熱媒体を搬送する。熱媒体は、例えば、水またはブライン等である。
【００３１】
熱媒体流量調整装置６３は、熱媒体配管６４の内部を流れる熱媒体の流量を調整する。熱媒体流量調整装置６３は、室内機２に供給される熱媒体の流量を調整するものであり、開度が任意に調整できる機構のものが好ましい。また、室内機２に設置されている後述する第２温度検出装置５０と第３温度検出装置５１との温度差を一定にするように熱媒体流量調整装置６３が制御されると、室内負荷に応じて熱媒体変換機６０の熱交換能力が調整されるため都合がよい。
【００３２】
なお、図１に示す空気調和装置１００では、熱媒体流量調整装置６３及びポンプ６２が熱媒体変換機６０の内部に配置されている例を示しているが、熱媒体流量調整装置６３及びポンプ６２は、熱媒体変換機６０の外に配置されてもよい。例えば、熱媒体流量調整装置６３は室内機２の内部に配置されてもよく、ポンプ６２はメンテナンスがしやすい場所に配置されてもよい。
【００３３】
また、熱媒体変換機６０は、第３バイパス配管４２と、第３バイパス開閉装置４３とを有する。
【００３４】
第３バイパス配管４２は、熱媒体熱交換器６１と絞り装置４１とをバイパスする。第３バイパス配管４２は、熱媒体熱交換器６１及び絞り装置４１の前後の冷媒配管４をバイパスしている。第３バイパス配管４２は、冷媒回路１０１において、熱媒体熱交換器６１及び絞り装置４１と並列に設けられている。第３バイパス開閉装置４３は、第３バイパス配管４２の管路の途中に設けられている。第３バイパス開閉装置４３は、第３バイパス配管４２内の冷媒の流れを遮断するものである。第３バイパス開閉装置４３は、冷媒の流れを遮断できるものであればよく、例えば、電磁弁等で構成するとよい。
【００３５】
［室内機２］
室内機２は、負荷側熱交換器５３と、室内送風機５４とを有する。室内機２は、熱媒体配管６４を介して熱媒体変換機６０と接続されており、熱媒体変換機６０から送られてくる熱媒体が流入出するように構成されている。負荷側熱交換器５３は、例えば、ファン等の室内送風機５４から供給される空気と熱媒体との間で熱交換を行い、室内空間に供給するための暖房用空気または冷房用空気を生成するものである。室内送風機５４は、負荷側熱交換器５３の付近に配置されている。室内送風機５４は、負荷側熱交換器５３に空気を送風する。
【００３６】
室内機２は、第２温度検出装置５０と、第３温度検出装置５１と、第４温度検出装置５２とを有する。第２温度検出装置５０及び第３温度検出装置５１は、熱媒体回路１０２において負荷側熱交換器５３前後の熱媒体配管６４上に設けられている。第４温度検出装置５２は、負荷側熱交換器５３を通過する空気の吸込部に設けられている。第２温度検出装置５０と、第３温度検出装置５１及び第４温度検出装置５２は、例えば、サーミスタ等で構成するとよい。
【００３７】
第２温度検出装置５０は、負荷側熱交換器５３に流入する熱媒体の温度を検出する。また、第３温度検出装置５１は、負荷側熱交換器５３から流出する熱媒体の温度を検出する。さらに、第４温度検出装置５２は、室内の空気温度を検出する。
【００３８】
なお、図１に示す空気調和装置１００は、熱媒体変換機６０を介して１台の室内機２が室外機１に接続されている場合を例に示している。しかし、空気調和装置１００は、１台の室外機１に対する室内機２の接続台数が１台に限定されるものではなく、複数台の室内機２が熱媒体変換機６０を介して室外機１に接続されてもよい。すなわち、空気調和装置１００は、複数の室内機２を有するように構成されてもよい。室内機２の台数が多い場合には、各室内機２に設けられた熱媒体流量調整装置６３が、空気調和装置１００において並列で配置され、室内機２でそれぞれ発生する負荷に応じて熱媒体流量を調整できるようにするとよい。
【００３９】
［制御装置２４］
図２は、実施の形態１に係る空気調和装置１００の制御に関する構成例を示すブロック図である。空気調和装置１００は、制御装置２４を有している。図２に示すように、制御装置２４は、プログラムを記憶するメモリ２５と、プログラムにしたがって処理を実行するＣＰＵ２６（Ｃｅｎｔｒａｌ  Ｐｒｏｃｅｓｓｉｎｇ  Ｕｎｉｔ）、計時装置２７とを有する。制御装置２４は、例えば、マイクロコンピュータである。なお、図１に示す空気調和装置１００では、制御装置２４は、室外機１内に配置されているが、制御装置２４の配置は室外機１に限定されるものではない。例えば、制御装置２４は、室外機１だけでなく熱媒体変換機６０または室内機２のユニット毎に別々に設けられてもよく、室外機１、熱媒体変換器及び室内機２のいずれかに設けられてもよい。
【００４０】
制御装置２４は、圧縮機１０、冷媒流路切替装置１１、室外送風機１４、第１バイパス開閉装置３１及び第２バイパス開閉装置３３と伝送線で接続されている。制御装置２４は、第１圧力検出装置２０、第２圧力検出装置２１、第１温度検出装置２２及び室外温度検出装置２３と伝送線で接続されている。制御装置２４は、絞り装置４１、ポンプ６２、熱媒体流量調整装置６３及び第３バイパス開閉装置４３と伝送線で接続されている。制御装置２４は、室内送風機５４、第２温度検出装置５０、第３温度検出装置５１及び第４温度検出装置５２と伝送線で接続されている。制御装置２４は、リモートコントローラ３５と有線または無線で通信接続されている。
【００４１】
制御装置２４は、第１圧力検出装置２０及び第２圧力検出装置２１によって検知された冷媒の圧力を受信する。また、制御装置２４は、第１温度検出装置２２によって検知された冷媒の温度、並びに、第２温度検出装置５０及び第３温度検出装置５１によって検知された熱媒体の温度を受信する。更に、制御装置２４は、室外温度検出装置２３によって検知された室外の周囲温度、及び、第４温度検出装置５２によって検知された室内の空気温度を受信する。
【００４２】
制御装置２４は、各種検出装置の検出値、経過時間、あるいは、リモートコントローラ３５からの指示に基づいて、室外機１、熱媒体変換機６０及び室内機２を制御し、後述する各空調運転モードを実行する冷凍サイクル制御を行う。制御装置２４は、各種検出装置の検出値等に基づき、圧縮機１０の周波数、室外送風機１４及び室内送風機５４の回転数（ＯＮ／ＯＦＦを含む）、冷媒流路切替装置１１の切り替え、絞り装置４１の開度等を制御し、後述する各空調運転モードを実行する。また、制御装置２４は、各種検出装置の検出値等に基づき、第１バイパス開閉装置３１、第２バイパス開閉装置３３、第３バイパス開閉装置４３の弁を制御し、弁の開閉を切り替えるか、弁の開度を調整する。さらに、制御装置２４は、熱媒体流量調整装置６３の弁の開度を制御する。また、制御装置２４は、ポンプ６２の駆動及び停止を制御し、あるいは、ポンプ６２の回転数を制御する。
【００４３】
制御装置２４は、第１バイパス開閉装置３１、第２バイパス開閉装置３３及び第３バイパス開閉装置４３を制御し、アキュムレータ１３内に過熱度の大きい低圧のガス冷媒を流入させることにより、アキュムレータ１３内に溜まった液冷媒をガス化させる起動制御機能を実施する。制御装置２４による起動制御機能は、低外気時に、室外温度検出装置２３の検出値に応じて、アキュムレータ１３に溜まった冷媒を追い出すように、空気調和装置１００の起動を制御する。起動制御機能についての制御装置２４の動作については、冷房起動制御機能及び暖房起動制御機能として後で詳しく説明する。
【００４４】
［メモリ２５］
メモリ２５は、制御装置２４が各種処理を行う際に用いるデータを記憶している。メモリ２５は、データを一時的に記憶できるランダムアクセスメモリ（ＲＡＭ）などの揮発性記憶装置（図示せず）、あるい、ハードディスク、データを長期的に記憶できるフラッシュメモリなどの不揮発性の補助記憶装置（図示せず）を有している。メモリ２５には、室外温度検出装置２３の検出温度に対する任意の設定値である設定値Ｔａが予め記憶されている。同様に、メモリ２５には、第１圧力検出装置２０の検出値に対する任意の設定値である設定値Ｐａ、及び、第２圧力検出装置２１の検出値に対する任意の設定値である設定値Ｐｂが予め記憶されている。
【００４５】
［計時装置２７］
計時装置２７は、タイマ等を有し、制御装置２４が時間の判定に用いる計時を行う。
【００４６】
［リモートコントローラ３５］
リモートコントローラ３５は、使用者が空気調和装置１００を操作するために利用される機器である。リモートコントローラ３５には、空気調和装置１００の制御装置２４に対する使用者の指示を入力するための入力装置が設けられている。また、リモートコントローラ３５には、制御装置２４に基づく空気調和装置１００の動作状態、例えば、冷房、暖房等各種制御モード、設定温度、検知された室温、現在時刻等、を表示する表示部が設けられていてもよい。リモートコントローラ３５は、有線または無線によって制御装置２４に接続されており、制御装置２４との間で通信し、信号の送受信が行われる。例えば、リモートコントローラ３５は、使用者あるいはプログラムの指示により、空気調和装置１００の運転を開始する開始信号を制御装置２４に送信する。これにより、空気調和装置１００は、室外機１及び室内機２の運転が開始される。また、リモートコントローラ３５は、使用者あるいはプログラムの指示により、空気調和装置１００の運転を停止する停止信号を制御装置２４に送信する。これにより、空気調和装置１００は、室外機１及び室内機２の運転が停止する。
【００４７】
［熱媒体］
熱媒体は、例えば、ブライン（不凍液）または水、ブラインと水の混合液、水と防食効果が高い添加剤との混合液等を用いるとよい。使用する熱媒体が人に対して無害な安全性の高いものであれば、熱媒体が室内機２から空調空間に漏洩したとしても、安全上の問題が発生しないという利点がある。
【００４８】
［冷房運転モード］
図３は、実施の形態１に係る空気調和装置１００の冷房運転モード時における冷媒及び熱媒体の流れを示す回路図である。図３に示されるように、冷媒及び熱媒体の流れ方向は、矢印で示されている。この図３では、負荷側熱交換器５３で冷熱負荷が発生している場合を例に冷房運転モードについて説明する。
【００４９】
まず始めに、冷凍サイクルを構成する冷媒回路１０１内の冷媒の流れについて説明する。全冷房運転モードの場合、低温低圧の冷媒が、圧縮機１０によって圧縮され、高温高圧のガス冷媒となって吐出される。圧縮機１０から吐出された高温高圧のガス冷媒は、冷媒流路切替装置１１を介して熱源側熱交換器１２に流入する。熱源側熱交換器１２に流入した高温高圧のガス冷媒は、室外空気に放熱しながら凝縮し高圧の液冷媒となる。そして、熱源側熱交換器１２から流出した高圧の液冷媒は室外機１から流出し、冷媒主管３を通り、熱媒体変換機６０に流入する。
【００５０】
室外機１から熱媒体変換機６０に流入した高圧の液冷媒は、絞り装置４１によって低温低圧の二相冷媒に減圧された後、蒸発器として作用する熱媒体熱交換器６１に流入し、熱媒体から吸熱することで熱媒体を冷却し、冷媒は低温低圧のガス冷媒となる。熱媒体熱交換器６１から流出した低温低圧のガス冷媒は、冷媒主管３を通り室外機１へ流入する。熱媒体変換機６０から室外機１に流入した冷媒は、冷媒流路切替装置１１とアキュムレータ１３とを通り、圧縮機１０へ吸入される。
【００５１】
この際、制御装置２４が、第１バイパス開閉装置３１と第２バイパス開閉装置３３とを閉状態とすることで、空気調和装置１００の室外機１は、室外機１の内部で冷媒がバイパスしないようになっている。なお、第１バイパス開閉装置３１と第２バイパス開閉装置３３とが、電磁弁等の開度の調整ができない装置の場合には、制御装置２４は、冷房運転モード中の第１バイパス開閉装置３１と第２バイパス開閉装置３３とを閉状態とするように制御する。また、第１バイパス開閉装置３１が、電子式膨張弁のように開口面積の調整が可能な装置の場合には、制御装置２４は、冷凍サイクルの運転状態が悪影響を受けないような開度に、冷房運転モード中の第１バイパス開閉装置３１の弁の開度を設定するとよい。同様に、第２バイパス開閉装置３３が、電子式膨張弁のように開口面積の調整が可能な装置の場合には、制御装置２４は、冷凍サイクルの運転状態が悪影響を受けないような開度に、冷房運転モード中の第２バイパス開閉装置３３の弁の開度を設定するとよい。なお、冷凍サイクルの運転状態が悪影響を受けないとは、例えば、冷房能力が悪影響を受けないこと等であり、悪影響を受けないような開度とは、例えば、全閉もしくはそれに近い開度である。
【００５２】
同様に、制御装置２４は、冷房運転モード時には第３バイパス開閉装置４３を閉状態とするように制御するとよい。制御装置２４が、第３バイパス開閉装置４３を閉状態とすることで、空気調和装置１００は、熱媒体熱交換器６１を冷媒がバイパスすることを防ぎ、冷媒のバイパスによる冷房能力の低下を減らすことができる。
【００５３】
また、圧縮機１０は、第１圧力検出装置２０または第２圧力検出装置２１の検出値が所定の値になるように制御装置２４によって制御されるとよい。あるいは、圧縮機１０は、第１圧力検出装置２０及び第２圧力検出装置２１の検出値が所定の値になるように制御装置２４によって制御されるとよい。例えば、空気調和装置１００が全冷房運転モードの場合に、第２圧力検出装置２１の検出値から求めることができる蒸発温度が所定の値になるように制御装置２４が圧縮機１０を制御すると、圧縮機１０は、室内機２で必要な冷熱負荷に応じた冷媒流量を供給できる。
【００５４】
室外送風機１４は、第１圧力検出装置２０または第２圧力検出装置２１の検出値が所定の値になるように制御装置２４によって制御されるとよい。あるいは、室外送風機１４は、第１圧力検出装置２０及び第２圧力検出装置２１の検出値が所定の値になるように制御装置２４によって制御されるとよい。例えば、空気調和装置１００が全冷房運転モードの場合に、第１圧力検出装置２０の検出値から求めることができる凝縮温度が所定の値になるように制御装置２４が室外送風機１４を制御するとよい。
【００５５】
絞り装置４１は、熱媒体熱交換器６１の出口における過熱度が一定になるように制御装置２４によって開度が制御されるとよい。
【００５６】
次に、熱媒体回路１０２における熱媒体の流れについて説明する。空気調和装置１００の全冷房運転モードでは、ポンプ６２で加圧されて流出した熱媒体は、熱媒体熱交換器６１に流入し、熱媒体熱交換器６１において熱源側の冷媒から冷熱が熱媒体に伝えられ、冷やされた熱媒体は、熱媒体熱交換器６１から流出する。熱媒体熱交換器６１から流出した熱媒体は、熱媒体流量調整装置６３を通り、熱媒体配管６４を介して、室内機２に流入する。室内機２に流入した熱媒体は、負荷側熱交換器５３において室内空気から吸熱することで、室内空間の冷房を行う。負荷側熱交換器５３を流出した熱媒体は、熱媒体配管６４を介して再びポンプ６２に流入する。
【００５７】
このとき、熱媒体流量調整装置６３は、各室内にて必要とされる空調負荷をまかなうために、第２温度検出装置５０の検出値と第３温度検出装置５１の検出値との温度差が所定値（例えば、２℃〜７℃）になるように、制御装置２４によって開度が調整されている。具体的には、第２温度検出装置５０の検出値と第３温度検出装置５１の検出値との温度差が所定値よりも小さい場合、制御装置２４によって熱媒体流量調整装置６３の開度は閉方向に調整される。また、第２温度検出装置５０の検出値と第３温度検出装置５１の検出値との温度差が所定値よりも大きい場合、制御装置２４によって熱媒体流量調整装置６３の開度は開方向に調整される。このように、熱媒体は、制御装置２４によって室内にて必要とされる空調負荷に応じて必要な流量に制御されて、負荷側熱交換器５３に流入する。
【００５８】
ポンプ６２は、回転数が一定の出力としてもよい。あるいは、ポンプ６２は、第２温度検出装置５０の検出値と第３温度検出装置５１の検出値との温度差に応じて、制御装置２４によって回転数が制御されてもよい。あるいは、ポンプ６２は、空調空間の室温を検出する第４温度検出装置５２の検出温度と使用者が決める室内の設定温度との温度差に応じて回転数が制御されてもよい。
【００５９】
［暖房運転モード］
図４は、実施の形態１に係る空気調和装置１００の暖房運転モード時における冷媒及び熱媒体の流れを示す回路図である。図４に示されるように、冷媒及び熱媒体の流れ方向は、矢印で示されている。この図４では、負荷側熱交換器５３で温熱負荷が発生している場合を例に暖房運転モードについて説明する。
【００６０】
まず始めに、冷凍サイクルを構成する冷媒回路１０１内の冷媒の流れについて説明する。全暖房運転モードの場合、低温低圧の冷媒が、圧縮機１０によって圧縮され、高温高圧のガス冷媒となって吐出される。圧縮機１０から吐出された高温高圧のガス冷媒は、冷媒流路切替装置１１を介して室外機１を流出し、冷媒主管３を通り熱媒体変換機６０へ流入する。熱媒体変換機６０に流入した高温高圧のガス冷媒は、熱媒体熱交換器６１に流入し、熱媒体に放熱しながら凝縮し高圧の液冷媒となる。熱媒体熱交換器６１を流出した高圧の液冷媒は、絞り装置４１に流入する。そして、絞り装置４１に流入した高圧の液冷媒は、絞り装置４１によって低温低圧の二相冷媒に減圧された後、熱媒体変換機６０を流出し、冷媒主管３を通り、室外機１に流入する。
【００６１】
室外機１に流入した低温低圧の二相冷媒は、蒸発器として作用する熱源側熱交換器１２に流入し、空気から吸熱することで冷媒を蒸発させ、冷媒は低温低圧のガス冷媒となる。熱源側熱交換器１２から流出した低温低圧のガス冷媒は、冷媒流路切替装置１１とアキュムレータ１３とを通り、圧縮機１０へ吸入される。
【００６２】
この際、制御装置２４が、第１バイパス開閉装置３１と第２バイパス開閉装置３３とを閉状態とすることで、空気調和装置１００の室外機１は、室外機１の内部で冷媒がバイパスしないようになっている。なお、第１バイパス開閉装置３１と第２バイパス開閉装置３３とが、電磁弁等の開度の調整ができない装置の場合には、制御装置２４は、暖房運転モード中の第１バイパス開閉装置３１と第２バイパス開閉装置３３とを閉状態とするように制御する。また、第１バイパス開閉装置３１が、電子式膨張弁のように開口面積の調整が可能な装置の場合には、制御装置２４は、冷凍サイクルの運転状態が悪影響を受けないような開度に、冷房運転モード中の第１バイパス開閉装置３１の弁の開度を設定するとよい。同様に、第２バイパス開閉装置３３が、電子式膨張弁のように開口面積の調整が可能な装置の場合には、制御装置２４は、冷凍サイクルの運転状態が悪影響を受けないような開度に、冷房運転モード中の第２バイパス開閉装置３３の弁の開度を設定するとよい。なお、冷凍サイクルの運転状態が悪影響を受けないとは、例えば、暖房能力が悪影響を受けないこと等であり、悪影響を受けないような開度とは、例えば、全閉もしくはそれに近い開度である。
【００６３】
同様に、制御装置２４は、暖房運転モード時には第３バイパス開閉装置４３を閉状態とするように制御するとよい。制御装置２４が、第３バイパス開閉装置４３を閉状態とすることで、空気調和装置１００は、熱媒体熱交換器６１を冷媒がバイパスすることを防ぎ、冷媒のバイパスによる暖房能力の低下を減らすことができる。
【００６４】
圧縮機１０は、第１圧力検出装置２０または第２圧力検出装置２１の検出値が所定の値になるように制御装置２４によって制御されるとよい。あるいは、圧縮機１０は、第１圧力検出装置２０及び第２圧力検出装置２１の検出値が所定の値になるように制御装置２４によって制御されるとよい。例えば、空気調和装置１００が全暖房運転モードの場合に、第１圧力検出装置２０の検出値から求めることができる凝縮温度が所定の値になるように制御装置２４が圧縮機１０を制御すると、圧縮機１０は、室内機２で必要な温熱負荷に応じた冷媒流量を供給できる。
【００６５】
室外送風機１４は、第１圧力検出装置２０または第２圧力検出装置２１の検出値が所定の値になるように制御装置２４によって制御されるとよい。あるいは、室外送風機１４は、第１圧力検出装置２０及び第２圧力検出装置２１の検出値が所定の値になるように制御装置２４によって制御されるとよい。例えば、空気調和装置１００が全暖房運転モードの場合に、第２圧力検出装置２１の検出値から求めることができる蒸発温度が所定の値になるように制御装置２４が室外送風機１４を制御するとよい。
【００６６】
絞り装置４１は、熱媒体熱交換器６１の出口における過冷却度が一定になるように制御装置２４によって開度が制御されるとよい。
【００６７】
次に、熱媒体回路１０２における熱媒体の流れについて説明する。空気調和装置１００の全暖房運転モードでは、ポンプ６２で加圧されて流出した熱媒体は、熱媒体熱交換器６１に流入し、熱媒体熱交換器６１において熱源側の冷媒から温熱が熱媒体に伝えられ、温められた熱媒体は、熱媒体熱交換器６１から流出する。熱媒体熱交換器６１から流出した熱媒体は、熱媒体流量調整装置６３を通り、熱媒体配管６４を介して、室内機２に流入する。室内機２に流入した熱媒体は、負荷側熱交換器５３において室内空気へ放熱することで、室内空間の暖房を行う。負荷側熱交換器５３を流出した熱媒体は、熱媒体配管６４を介して再びポンプ６２に流入する。
【００６８】
このとき、熱媒体流量調整装置６３は、各室内にて必要とされる空調負荷をまかなうために、第２温度検出装置５０の検出値と第３温度検出装置５１の検出値との温度差が所定値（例えば、５℃〜１０℃）になるように、制御装置２４によって開度が調整されている。具体的には、第２温度検出装置５０の検出値と第３温度検出装置５１の検出値との温度差が所定値よりも小さい場合、制御装置２４によって熱媒体流量調整装置６３の開度は閉方向に調整される。また、第２温度検出装置５０の検出値と第３温度検出装置５１の検出値との温度差が所定値よりも大きい場合、制御装置２４によって熱媒体流量調整装置６３の開度は開方向に調整される。このように、熱媒体は、制御装置２４によって室内にて必要とされる空調負荷に応じて必要な流量に制御されて、負荷側熱交換器５３に流入する。
【００６９】
ポンプ６２は、回転数が一定の出力としてもよい。あるいは、ポンプ６２は、空調空間の室温を検出する第４温度検出装置５２の検出値である室内温度と使用者が設定する室内の設定温度との温度差に応じて、制御装置２４によってポンプ６２の出力が調整されてもよい。あるいは、ポンプ６２は、熱媒体熱交換器６１の熱媒体側流路の前後に温度検出装置（図示は省略）を設けて、その温度差が所定値（例えば、５℃〜１０℃）となるように、制御装置２４によってポンプ６２の出力が調整されるように制御されてもよい。
【００７０】
［冷房運転モード時の冷房起動制御機能］
図５は、実施の形態１に係る空気調和装置１００の冷房起動制御機能及び暖房起動制御機能の動作を示すフローチャートである。次に、図５を用いて、外気の温度が低い条件での冷房運転の開始時において、アキュムレータ１３に溜まった冷媒を追い出す冷房起動制御機能について説明する。なお、冷房起動制御機能及び暖房起動制御機能とは、制御装置２４により実行される空気調和装置１００の機能であり、アキュムレータ１３内に過熱度の大きい低圧のガス冷媒を流入させることによって、アキュムレータ１３内に溜まった液冷媒をガス化させる機能である。
【００７１】
図５は、冷房運転モード時における冷房起動制御機能の動作を表すフローチャートである。空気調和装置１００は、使用者によってリモートコントローラ３５が操作され、冷房運転を開始するときに冷房起動制御機能を開始し、図５に示すフローチャートに従った動作を行う。なお、空気調和装置１００において、図５に示すフローチャートで動作が規定されていない各種装置については、前述の冷房運転モードに従った動作が行われる。
【００７２】
まず、制御装置２４は、室外温度検出装置２３の検出温度Ｔｏｕｔが任意の設定値である設定値Ｔａ以下であるか否かを判定する（ステップＳ１）。なお、室外温度が低いほどアキュムレータ１３へ液冷媒が溜まりやすいので、設定値Ｔａは、例えば５℃等で設定するとよい。室外温度検出装置２３の検出温度Ｔｏｕｔが設定値Ｔａよりも大きいと制御装置２４が判定した場合（ステップＳ１がＮＯの場合）には、制御装置２４は、冷房起動制御機能を実施せず、前述の冷房運転モードの動作を行う。室外温度検出装置２３の検出温度Ｔｏｕｔが設定値Ｔａ以下であると制御装置２４が判定した場合（ステップＳ１がＹＥＳの場合）には、制御装置２４は、アキュムレータ１３には液冷媒が存在していると判断し、ステップＳ２の実行処理に進む。
【００７３】
次に、制御装置２４は、第１バイパス開閉装置３１、第２バイパス開閉装置３３または第３バイパス開閉装置４３のいずれか１つ以上を開状態とする（ステップＳ２）。ステップＳ２では、制御装置２４が、３つのバイパス開閉装置の内いずれか１つ以上を開くとしているが、制御装置２４は、２つのバイパス開閉装置を開いてもよいし、３つのバイパス開閉装置を開いてもよい。空気調和装置１００は、開くバイパス開閉装置の数が多い方が、アキュムレータ１３内の液冷媒を早くガス化させることができる。なお、第１バイパス開閉装置３１、第２バイパス開閉装置３３または第３バイパス開閉装置４３の開閉状態は、予め制御装置２４のメモリ２５に制御動作として記憶されてもよい。すなわち、３つのバイパス開閉装置の例えば、開閉数、開閉位置及び開度等は、予め制御装置２４のメモリ２５に制御動作として記憶されてもよい。あるいは、制御装置２４は、空気調和装置１００の運転状態に応じて、３つのバイパス開閉装置の開閉状態を制御するようにしてもよい。なお、運転状態とは、例えば、室外温度、室内温度、及び室内機２の運転台数等であるが、これらのものに限定するものではない。例えば、制御装置２４は、室外温度検出装置２３により検知される室外温度と、第２圧力検出装置２１の検出値から演算される蒸発温度との差が大きいほど、開状態とされるバイパス開閉装置の個数が多くなるようにバイパス開閉装置を制御してもよい。また、制御装置２４は、バイパス開閉装置の開く優先順位として、冷房運転モードにおいて、第２バイパス開閉装置３３と第３バイパス開閉装置４３とでは、必ず第２バイパス開閉装置３３が先に開くように制御してもよい。また、制御装置２４は、バイパス開閉装置の開く優先順位として、暖房運転モードにおいて、第２バイパス開閉装置３３と第３バイパス開閉装置４３とでは、必ず第３バイパス開閉装置４３が先に開くように制御してもよい。すなわち、制御装置２４は、凝縮器と蒸発器とでは、液化させる凝縮器をまずバイパスさせるように、バイパス開閉装置の開閉状態を制御することが望ましい。制御装置２４は、ステップＳ２の処理を行うと、ステップＳ３の実行処理に進む。
【００７４】
次に、制御装置２４は、絞り装置４１を閉止し、熱媒体熱交換器６１へ低温の冷媒が流入しないようにする（ステップＳ３）。なお、絞り装置４１を閉止するとは、絞り装置４１の開度を全閉もしくはそれに近い開度にすることである。制御装置２４は、ステップＳ３の処理を行うと、ステップＳ４の実行処理に進む。
【００７５】
次に、制御装置２４は、圧縮機１０を運転させる（ステップＳ４）。すなわち、制御装置２４は、冷房運転開始時に、少なくとも１つ以上のバイパス開閉装置を開状態にして圧縮機１０を運転する。ステップＳ１からステップＳ４の処理に基づき圧縮機１０を動作させることによって、圧縮機１０から吐出された高温高圧のガス冷媒が、第１バイパス配管３０、第２バイパス配管３２又は第３バイパス配管４２のいずれか１つ以上を通る。そして、圧縮機１０から吐出された高温高圧のガス冷媒は、アキュムレータ１３に流入するために、第１バイパス開閉装置３１、第２バイパス開閉装置３３又は第３バイパス開閉装置４３等のバイパス開閉装置を通る。圧縮機１０から吐出された高温高圧のガス冷媒は、第１バイパス開閉装置３１等のバイパス開閉装置を通る際に減圧されて低圧冷媒となる。すなわち、第１バイパス開閉装置３１等のバイパス開閉装置は、冷媒の高圧と低圧との境界となる。そして、冷媒は、減圧時に温度も下がるため、第１バイパス開閉装置３１等のバイパス開閉装置を通過した直後の冷媒は、低圧の中温冷媒となる。ただし、冷媒の温度は、圧縮機１０の吐出部の温度と比較した場合には中温であるが、アキュムレータ１３内にある液冷媒の温度と比較した場合には高温である。そのため、この低圧の中温冷媒は、アキュムレータ１３内の冷媒を蒸発させる能力がある過熱度の大きい低圧のガス冷媒である。空気調和装置１００は、圧縮機１０から吐出された過熱度の大きいガス冷媒を、熱源側熱交換器１２又は熱媒体熱交換器６１をバイパスさせ、直接アキュムレータ１３内へ流入させることができる。その結果、空気調和装置１００は、アキュムレータ１３内に過熱度の大きい低圧のガス冷媒を流入させることによって、アキュムレータ１３内に溜まった液冷媒を加熱して蒸発させることでガス化させ、冷凍サイクルのシステム圧力を上昇させることができる。
【００７６】
なお、ステップＳ４で圧縮機１０を運転すると、熱媒体熱交換器６１へ低温の冷媒が流入することになる。そのため、圧縮機１０の運転を開始する前にポンプ６２及び熱媒体流量調整装置６３を操作し、熱媒体回路１０２内を熱媒体が循環するようにすると、熱媒体熱交換器６１での熱媒体の凍結を起こりにくくできる。すなわち、制御装置２４は、ポンプ６２及び熱媒体流量調整装置６３を動かした後に、圧縮機１０を動かすように制御することが望ましい。制御装置２４は、ステップＳ４の処理を行うと、ステップＳ５の判定処理に進む。
【００７７】
次に、制御装置２４は、第１圧力検出装置２０の検出値Ｐ１が任意の設定値である設定値Ｐａ以上であるか否かを判定し、第２圧力検出装置２１の検出値Ｐ２が任意の設定値である設定値Ｐｂ以上であるか否かを判定する。そして、制御装置２４は、第１圧力検出装置２０の検出値Ｐ１が設定値Ｐａ以上であるか否か、または、第２圧力検出装置２１の検出値Ｐ２が設定値Ｐｂ以上であるか否か、のいずれかの条件を満たすか否かを判定する（ステップＳ５）。制御装置２４は、いずれかの条件を満たしていると判定した場合（ステップＳ５がＹＥＳの場合）には、アキュムレータ１３から液冷媒を追い出すことができたと判断し、冷房起動制御機能を終了させ、通常の冷房運転モードに移行させる。制御装置２４は、いずれの条件も満たしていないと判定した場合（ステップＳ５がＮＯの場合）には、アキュムレータ１３には液冷媒が存在すると判断し、ステップＳ４の判定処理に戻る。
【００７８】
なお、ステップＳ５における冷房起動制御機能の終了条件の判定方法について、前述の方法に限るものではない。冷房起動制御機能の終了は、第１圧力検出装置２０の検出値又は第２圧力検出装置２１の検出値よって求められる値、例えば、冷媒の飽和温度等で判定してもよい。あるいは、冷房起動制御機能の終了は、アキュムレータ１３の流入側に冷媒の温度を検出するための温度検出装置（図示は省略）を設け、アキュムレータ１３に流入する冷媒の過熱度を求めて、それを終了条件の判定値として用いてもよい。あるいは、制御装置２４は、計時装置２７を用いて、冷房起動制御機能の開始からの経過時間が設定時間に達した場合に冷房起動制御機能を終了させてもよい。すなわち、制御装置２４は、第１圧力検出装置２０もしくは第２圧力検出装置２１の内の少なくとも１つ以上の検出値が閾値以下の場合、または、起動制御機能の開始からの経過時間が設定時間に達した場合に起動制御機能を終了させてもよい。
【００７９】
図６は、実施の形態１に係る空気調和装置１００の冷房起動制御機能及び暖房起動制御機能の動作を示す他の例のフローチャートである。空気調和装置１００は、第１圧力検出装置２０あるいは第２圧力検出装置２１の検出値が設定値以下の場合に冷房起動制御機能を実施してもよい。したがって、制御装置２４は、空気調和装置１００の空調運転を開始する際に、室外温度検出装置２３、第１圧力検出装置２０、または、第２圧力検出装置２１の内、少なくともいずれか１つ以上の検出値に基づいて、起動制御機能を実施することができる。この場合、制御装置２４は、ステップＳ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。また、図５に示す冷房起動制御機能の開始条件は、冷房運転開始時を起点としているが冷房起動制御機能の開始条件は、冷房運転開始時を起点としなくてもよい。例えば、空気調和装置１００が停止している状態においても、空気調和装置１００は、一定時間間隔で冷房起動制御機能を実施してもよい。制御装置２４は、空気調和装置１００が停止中に、設定された時間の間隔ごとに、室外温度検出装置２３、第１圧力検出装置２０、または、前記第２圧力検出装置２１の内の少なくともいずれか１つ以上の検出値に基づいて、起動制御機能を実施することができる。この場合制御装置２４は、検出値が設定値以下の場合に冷房起動制御機能を実施する。すなわち、制御装置２４は、ステップＳ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。空気調和装置１００は、冷房起動制御機能を実行することで、アキュムレータ１３へ冷媒が溜まることを防止することができるため、外気の温度が低い条件での冷房運転の開始時における熱媒体の凍結を防止することができる。
【００８０】
空気調和装置１００は、冷房起動制御機能を実施することによって、アキュムレータ１３に溜まった液冷媒を効率良くガス化させることができる。そのため、空気調和装置１００は、外気の温度が低い条件での冷房運転の開始時において、アキュムレータ１３へ冷媒が多く溜まっている場合のシステム圧力の低下による冷房能力低下を抑制することができる。
【００８１】
［暖房運転モード時の暖房起動制御機能］
次に、図５を用いて、外気の温度が低い条件での暖房運転の開始時において、アキュムレータ１３に溜まった冷媒を追い出す暖房起動制御機能について説明する。
【００８２】
図５は、暖房運転モード時における暖房起動制御機能の動作を表すフローチャートでもある。空気調和装置１００は、使用者によってリモートコントローラ３５が操作され、暖房運転を開始するときに暖房起動制御機能を開始し、図５に示すフローチャートに従った動作を行う。なお、空気調和装置１００において、図５に示すフローチャートで動作が規定されていない各種装置については、前述の暖房運転モードに従った動作が行われる。
【００８３】
まず、制御装置２４は、室外温度検出装置２３の検出温度Ｔｏｕｔが任意の設定値である設定値Ｔａ以下であるか否かを判定する（ステップＳ１）。なお、室外温度が低いほどアキュムレータ１３へ冷媒が溜まりやすいので、設定値Ｔａは、例えば５℃等で設定するとよい。室外温度検出装置２３の検出温度Ｔｏｕｔが設定値Ｔａよりも大きいと制御装置２４が判定した場合（ステップＳ１がＮＯの場合）には、制御装置２４は、暖房起動制御機能を実施せず、前述の暖房運転モードの動作を行う。室外温度検出装置２３の検出温度Ｔｏｕｔが設定値Ｔａ以下であると制御装置２４が判定した場合（ステップＳ１がＹＥＳの場合）には、制御装置２４は、アキュムレータ１３には液冷媒が存在していると判断し、ステップＳ２の実行処理に進む。
【００８４】
次に、制御装置２４は、第１バイパス開閉装置３１、第２バイパス開閉装置３３または第３バイパス開閉装置４３のいずれか１つ以上を開状態とする（ステップＳ２）。ステップＳ２では、制御装置２４が、３つのバイパス開閉装置の内いずれか１つ以上を開くとしているが、制御装置２４は、２つのバイパス開閉装置を開いてもよいし、３つのバイパス開閉装置を開いてもよい。空気調和装置１００は、開くバイパス開閉装置の数が多い方が、アキュムレータ１３内の液冷媒を早くガス化させることができる。制御装置２４は、ステップＳ２の処理を行うと、ステップＳ３の実行処理に進む。
【００８５】
次に、制御装置２４は、絞り装置４１を閉止し、熱媒体熱交換器６１へ冷媒が流入しないようにする（ステップＳ３）。なお、絞り装置４１を閉止するとは、絞り装置４１の開度を全閉もしくはそれに近い開度にすることである。空気調和装置１００は、熱媒体熱交換器６１へ冷媒が流入しないようにすることで、熱媒体熱交換器６１内での冷媒の凝縮を減らし、アキュムレータ１３にガス冷媒が戻りやすくなる。制御装置２４は、ステップＳ３の処理を行うと、ステップＳ４の実行処理に進む。
【００８６】
次に、制御装置２４は、圧縮機１０を運転させる（ステップＳ４）。すなわち、制御装置２４は、暖房運転開始時に、少なくとも１つ以上のバイパス開閉装置を開状態にして圧縮機１０を運転する。ステップＳ１からステップＳ４の処理に基づき圧縮機１０を動作させることによって、圧縮機１０から吐出された高温高圧のガス冷媒が、第１バイパス配管３０、第２バイパス配管３２又は第３バイパス配管４２のいずれか１つ以上を通る。そして、圧縮機１０から吐出された高温高圧のガス冷媒は、アキュムレータ１３に流入するために、第１バイパス開閉装置３１、第２バイパス開閉装置３３又は第３バイパス開閉装置４３等のバイパス開閉装置を通る。圧縮機１０から吐出された高温高圧のガス冷媒は、第１バイパス開閉装置３１等のバイパス開閉装置を通る際に減圧されて低圧冷媒となる。そして、冷媒は、減圧時に温度も下がるため、第１バイパス開閉装置３１等のバイパス開閉装置を通過した直後の冷媒は、低圧の中温冷媒となる。この低圧の中温冷媒は、アキュムレータ１３内の冷媒を蒸発させる能力がある過熱度の大きい低圧のガス冷媒である。空気調和装置１００は、圧縮機１０から吐出された過熱度の大きいガス冷媒を、熱源側熱交換器１２又は熱媒体熱交換器６１をバイパスさせ、直接アキュムレータ１３内へ流入させることができる。その結果、空気調和装置１００は、アキュムレータ１３内に過熱度の大きい低圧のガス冷媒を流入させることによって、アキュムレータ１３内に溜まった液冷媒を加熱して蒸発させることでガス化させ、冷凍サイクルのシステム圧力を上昇させることができる。制御装置２４は、ステップＳ４の処理を行うと、ステップＳ５の判定処理に進む。
【００８７】
次に、制御装置２４は、第１圧力検出装置２０の検出値Ｐ１が任意の設定値である設定値Ｐａ以上であるか否かを判定し、第２圧力検出装置２１の検出値Ｐ２が任意の設定値である設定値Ｐｂ以上であるか否かを判定する。そして、制御装置２４は、第１圧力検出装置２０の検出値Ｐ１が設定値Ｐａ以上であるか否か、または、第２圧力検出装置２１の検出値Ｐ２が設定値Ｐｂ以上であるか否か、のいずれかの条件を満たすか否かを判定する（ステップＳ５）。制御装置２４は、いずれかの条件を満たしていると判定した場合（ステップＳ５がＹＥＳの場合）には、アキュムレータ１３から液冷媒を追い出すことができたと判断し、暖房起動制御機能を終了させ、通常の暖房運転モードに移行させる。制御装置２４は、いずれの条件も満たしていないと判定した場合（ステップＳ５がＮＯの場合）には、アキュムレータ１３には液冷媒が存在すると判断し、ステップＳ４の判定処理に戻る。
【００８８】
なお、ステップＳ５における暖房起動制御機能の終了条件の判定方法について、前述の方法に限るものではない。暖房起動制御機能の終了は、第１圧力検出装置２０の検出値又は第２圧力検出装置２１の検出値よって求められる値、例えば、冷媒の飽和温度等で判定してもよい。あるいは、暖房起動制御機能の終了は、アキュムレータ１３の流入側に冷媒の温度を検出するための温度検出装置（図示は省略）を設け、アキュムレータ１３に流入する冷媒の過熱度を求めて、それを終了条件の判定値として用いてもよい。あるいは、制御装置２４は、計時装置２７を用いて、暖房起動制御機能の開始からの経過時間が設定時間に達した場合に暖房起動制御機能を終了させてもよい。すなわち、制御装置２４は、第１圧力検出装置２０もしくは第２圧力検出装置２１の内の少なくとも１つ以上の検出値が閾値以下の場合、または、起動制御機能の開始からの経過時間が設定時間に達した場合に起動制御機能を終了させてもよい。
【００８９】
図６は、実施の形態１に係る空気調和装置１００の冷房起動制御機能及び暖房起動制御機能の動作を示す他の例のフローチャートである。空気調和装置１００は、第１圧力検出装置２０あるいは第２圧力検出装置２１の検出値が設定値以下の場合に暖房起動制御機能を実施してもよい。したがって、制御装置２４は、空気調和装置１００の空調運転を開始する際に、室外温度検出装置２３、第１圧力検出装置２０、または、第２圧力検出装置２１の内、少なくともいずれか１つ以上の検出値に基づいて、起動制御機能を実施することができる。この場合、制御装置２４は、ステップＳ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば暖房起動制御機能を実施する。また、図５に示す暖房起動制御機能の開始条件は、暖房運転開始時を起点としているが暖房起動制御機能の開始条件は、暖房運転開始時を起点としなくてもよい。例えば、空気調和装置１００が停止している状態においても、空気調和装置１００は、一定時間間隔で暖房起動制御機能を実施してもよい。制御装置２４は、空気調和装置１００が停止中に、設定された時間の間隔ごとに、室外温度検出装置２３、第１圧力検出装置２０、または、前記第２圧力検出装置２１の内の少なくともいずれか１つ以上の検出値に基づいて、起動制御機能を実施することができる。この場合制御装置２４は、検出値が設定値以下の場合に暖房起動制御機能を実施する。すなわち、制御装置２４は、ステップＳ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば暖房起動制御機能を実施する。空気調和装置１００は、暖房起動制御機能を実行することで、アキュムレータ１３へ冷媒が溜まることを防止することができるため、外気の温度が低い条件での暖房運転の開始時における暖房能力の低下を防止することができる。
【００９０】
空気調和装置１００は、暖房起動制御機能を実施することによって、アキュムレータ１３に溜まった液冷媒を効率良くガス化させることができる。そのため、空気調和装置１００は、外気の温度が低い条件での暖房運転の開始時において、アキュムレータ１３へ冷媒が多く溜まっている場合のシステム圧力の低下による暖房能力低下を抑制することができる。
【００９１】
［空気調和装置１００の作用効果］
空気調和装置１００は、バイパス開閉装置を制御し、アキュムレータ１３内に過熱度の大きい低圧のガス冷媒を流入させる起動制御機能を実施する制御装置２４を有するものである。そのため、空気調和装置１００は、室外の温度が低い運転条件においてもアキュムレータ１３に溜まってしまった液冷媒をガス化させることで冷媒回路１０１内に冷媒を循環させることができる。その結果、空気調和装置１００は、室外の温度が低い運転条件においても冷房運転時の熱媒体の凍結、あるいは、暖房運転時の熱源側熱交換器１２の着霜に起因する能力の低下を抑制できるものである。
【００９２】
また、空気調和装置１００の制御装置２４は、ポンプ６２及び熱媒体流量調整装置６３を動かした後に、圧縮機１０を動かすように制御する。空気調和装置１００は、圧縮機１０の運転を開始する前にポンプ６２及び熱媒体流量調整装置６３を操作し、熱媒体回路１０２内を熱媒体が循環するようにすると、熱媒体熱交換器６１での熱媒体の凍結が起こりにくくなる。
【００９３】
実施の形態２．
［空気調和装置１００Ａ］
図７は、実施の形態２に係る空気調和装置１００Ａの回路構成の一例を示す概略回路構成図である。実施の形態２に係る空気調和装置１００Ａと実施の形態１に係る空気調和装置１００との回路構成で異なる点は、冷媒回路１０１と熱媒体回路１０２との二次ループ構成であったものを、冷媒回路１０１のみの一次ループ回路に変更した点である。なお、実施の形態２に係る空気調和装置１００Ａにおいて特に記述しない項目については、実施の形態１に係る空気調和装置１００と同様とし、同一の機能及び構成については同一の符号を用いて述べることとする。
【００９４】
図７に示す空気調和装置１００Ａは、１台の室内機２が室外機１に接続されている場合を例に示している。しかし、空気調和装置１００Ａは、１台の室外機１に対する室内機２の接続台数が１台に限定されるものではなく、複数台の室内機２が室外機１に接続されてもよい。すなわち、空気調和装置１００Ａは、複数の室内機２を有するように構成されてもよい。
【００９５】
［冷房運転モード］
図８は、実施の形態２に係る空気調和装置１００Ａの冷房運転モード時における冷媒の流れを示す回路図である。図８に示されるように、冷媒の流れ方向は、矢印で示されている。この図８では、負荷側熱交換器５３で冷熱負荷が発生している場合を例に冷房運転モードについて説明する。
【００９６】
冷房運転モードの場合、低温低圧の冷媒が、圧縮機１０によって圧縮され、高温高圧のガス冷媒となって吐出される。圧縮機１０から吐出された高温高圧のガス冷媒は、冷媒流路切替装置１１を介して熱源側熱交換器１２に流入する。熱源側熱交換器１２に流入した高温高圧のガス冷媒は、室外空気に放熱しながら凝縮し高圧の液冷媒となる。そして、熱源側熱交換器１２から流出した高圧の液冷媒は室外機１から流出し、冷媒主管３を通り、室内機２へ流入する。
【００９７】
室外機１から室内機２に流入した高圧の液冷媒は、絞り装置４１によって低温低圧の二相冷媒に減圧された後、蒸発器として作用する負荷側熱交換器５３に流入し、室内空気から吸熱することで冷媒を冷却し、冷媒は低温低圧のガス冷媒となる。負荷側熱交換器５３から流出した低温低圧のガス冷媒は、室内機２から流出し、冷媒主管３を通り室外機１へ流入する。室内機２から室外機１に流入した冷媒は、冷媒流路切替装置１１とアキュムレータ１３とを通り、圧縮機１０へ吸入される。
【００９８】
この際、制御装置２４が、第１バイパス開閉装置３１と第２バイパス開閉装置３３とを閉状態とすることで、空気調和装置１００Ａの室外機１は、室外機１の内部で冷媒がバイパスしないようになっている。なお、第１バイパス開閉装置３１と第２バイパス開閉装置３３とが、電磁弁等の開度の調整ができない装置の場合には、制御装置２４は、冷房運転モード中の第１バイパス開閉装置３１と第２バイパス開閉装置３３とを閉状態とするように制御する。また、第１バイパス開閉装置３１が、電子式膨張弁のように開口面積の調整が可能な装置の場合には、制御装置２４は、冷凍サイクルの運転状態が悪影響を受けないような開度に、冷房運転モード中の第１バイパス開閉装置３１の弁の開度を設定するとよい。同様に、第２バイパス開閉装置３３が、電子式膨張弁のように開口面積の調整が可能な装置の場合には、制御装置２４は、冷凍サイクルの運転状態が悪影響を受けないような開度に、冷房運転モード中の第２バイパス開閉装置３３の弁の開度を設定するとよい。なお、冷凍サイクルの運転状態が悪影響を受けないとは、例えば、冷房能力が悪影響を受けないこと等であり、悪影響を受けないような開度とは、例えば、全閉もしくはそれに近い開度である。
【００９９】
また、圧縮機１０は、第１圧力検出装置２０または第２圧力検出装置２１の検出値が所定の値になるように制御装置２４によって制御されるとよい。あるいは、圧縮機１０は、第１圧力検出装置２０及び第２圧力検出装置２１の検出値が所定の値になるように制御装置２４によって制御されるとよい。例えば、空気調和装置１００Ａが冷房運転モードの場合に、第２圧力検出装置２１の検出値から求めることができる蒸発温度が所定の値になるように制御装置２４が圧縮機１０を制御すると、圧縮機１０は、室内機２で必要な冷熱負荷に応じた冷媒流量を供給できる。
【０１００】
室外送風機１４は、第１圧力検出装置２０または第２圧力検出装置２１の検出値が所定の値になるように制御装置２４によって制御されるとよい。あるいは、室外送風機１４は、第１圧力検出装置２０及び第２圧力検出装置２１の検出値が所定の値になるように制御装置２４によって制御されるとよい。例えば、空気調和装置１００Ａが冷房運転モードの場合に、第１圧力検出装置２０の検出値から求めることができる凝縮温度が所定の値になるように制御装置２４が室外送風機１４を制御するとよい。
【０１０１】
絞り装置４１は、負荷側熱交換器５３の出口における過熱度が一定になるように制御装置２４によって開度が制御されるとよい。
【０１０２】
［暖房運転モード］
図９は、実施の形態２に係る空気調和装置１００Ａの暖房運転モード時における冷媒の流れを示す回路図である。図９に示されるように、冷媒の流れ方向は、矢印で示されている。この図９では、負荷側熱交換器５３で温熱負荷が発生している場合を例に暖房運転モードについて説明する。
【０１０３】
暖房運転モードの場合、低温低圧の冷媒が、圧縮機１０によって圧縮され、高温高圧のガス冷媒となって吐出される。圧縮機１０から吐出された高温高圧のガス冷媒は、冷媒流路切替装置１１を介して室外機１を流出し、冷媒主管３を通り室内機２へ流入する。室内機２に流入した高温高圧のガス冷媒は、負荷側熱交換器５３に流入し、負荷側熱交換器５３で室内空気に放熱しながら凝縮し高圧の液冷媒となる。負荷側熱交換器５３を流出した高圧の液冷媒は、絞り装置４１に流入する。そして、絞り装置４１に流入した高圧の液冷媒は、絞り装置４１によって低温低圧の気液二相冷媒に減圧された後、室内機２を流出し、冷媒主管３を通り、室外機１に流入する。
【０１０４】
室外機１に流入した低温低圧の気液二相冷媒は、蒸発器として作用する熱源側熱交換器１２に流入し、空気から吸熱することで冷媒を蒸発させ、冷媒は低温低圧のガス冷媒となる。熱源側熱交換器１２から流出した低温低圧のガス冷媒は、冷媒流路切替装置１１とアキュムレータ１３とを通り、圧縮機１０へ吸入される。
【０１０５】
この際、制御装置２４が、第１バイパス開閉装置３１と第２バイパス開閉装置３３とを閉状態とすることで、空気調和装置１００Ａの室外機１は、室外機１の内部で冷媒がバイパスしないようになっている。なお、第１バイパス開閉装置３１と第２バイパス開閉装置３３とが、電磁弁等の開度の調整ができない装置の場合には、制御装置２４は、暖房運転モード中の第１バイパス開閉装置３１と第２バイパス開閉装置３３とを閉状態とするように制御する。また、第１バイパス開閉装置３１が、電子式膨張弁のように開口面積の調整が可能な装置の場合には、制御装置２４は、冷凍サイクルの運転状態が悪影響を受けないような開度に、冷房運転モード中の第１バイパス開閉装置３１の弁の開度を設定するとよい。同様に、第２バイパス開閉装置３３が、電子式膨張弁のように開口面積の調整が可能な装置の場合には、制御装置２４は、冷凍サイクルの運転状態が悪影響を受けないような開度に、冷房運転モード中の第２バイパス開閉装置３３の弁の開度を設定するとよい。なお、冷凍サイクルの運転状態が悪影響を受けないとは、例えば、暖房能力が悪影響を受けないこと等であり、悪影響を受けないような開度とは、例えば、全閉もしくはそれに近い開度である。
【０１０６】
圧縮機１０は、第１圧力検出装置２０または第２圧力検出装置２１の検出値が所定の値になるように制御装置２４によって制御されるとよい。あるいは、圧縮機１０は、第１圧力検出装置２０及び第２圧力検出装置２１の検出値が所定の値になるように制御装置２４によって制御されるとよい。例えば、空気調和装置１００Ａが暖房運転モードの場合に、第１圧力検出装置２０の検出値から求めることができる凝縮温度が所定の値になるように制御装置２４が圧縮機１０を制御すると、圧縮機１０は、室内機２で必要な温熱負荷に応じた冷媒流量を供給できる。
【０１０７】
室外送風機１４は、第１圧力検出装置２０または第２圧力検出装置２１の検出値が所定の値になるように制御装置２４によって制御されるとよい。あるいは、室外送風機１４は、第１圧力検出装置２０及び第２圧力検出装置２１の検出値が所定の値になるように制御装置２４によって制御されるとよい。例えば、空気調和装置１００Ａが暖房運転モードの場合に、第２圧力検出装置２１の検出値から求めることができる蒸発温度が所定の値になるように制御装置２４が室外送風機１４を制御するとよい。
【０１０８】
絞り装置４１は、負荷側熱交換器５３の出口における過冷却度が一定になるように制御装置２４によって開度が制御されるとよい。
【０１０９】
［冷房運転モード時の冷房起動制御機能］
図１０は、実施の形態２に係る空気調和装置１００Ａの冷房起動制御機能及び暖房起動制御機能の動作を示すフローチャートである。次に、図１０を用いて、外気の温度が低い条件での冷房運転の開始時において、実施の形態２に係る空気調和装置１００Ａのアキュムレータ１３に溜まった冷媒を追い出す冷房起動制御機能について説明する。
【０１１０】
図１０は、空気調和装置１００Ａの冷房運転モード時における冷房起動制御機能の動作を表すフローチャートである。空気調和装置１００Ａは、使用者によってリモートコントローラ３５が操作され、冷房運転を開始するときに冷房起動制御機能を開始し、図１０に示すフローチャートに従った動作を行う。なお、空気調和装置１００Ａにおいて、図１０に示すフローチャートで動作が規定されていない各種装置については、前述の冷房運転モードに従った動作が行われる。
【０１１１】
まず、制御装置２４は、室外温度検出装置２３の検出温度Ｔｏｕｔが任意の設定値である設定値Ｔａ以下であるか否かを判定する（ステップＳＡ１）。なお、室外温度が低いほどアキュムレータ１３へ液冷媒が溜まりやすいので、設定値Ｔａは、例えば５℃等で設定するとよい。室外温度検出装置２３の検出温度Ｔｏｕｔが設定値Ｔａよりも大きいと制御装置２４が判定した場合（ステップＳＡ１がＮＯの場合）には、制御装置２４は、冷房起動制御機能を実施せず、前述の冷房運転モードの動作を行う。室外温度検出装置２３の検出温度Ｔｏｕｔが設定値Ｔａ以下であると制御装置２４が判定した場合（ステップＳＡ１がＹＥＳの場合）には、制御装置２４は、アキュムレータ１３には液冷媒が存在していると判断し、ステップＳＡ２の実行処理に進む。
【０１１２】
次に、制御装置２４は、第１バイパス開閉装置３１または第２バイパス開閉装置３３のいずれか１つ以上を開状態とする（ステップＳＡ２）。ステップＳＡ２では、制御装置２４が、２つのバイパス開閉装置の内いずれか１つ以上を開くとしているが、空気調和装置１００Ａは、開くバイパス開閉装置の数が多い方が、アキュムレータ１３内の液冷媒を早くガス化させることができる。制御装置２４は、ステップＳＡ２の処理を行うと、ステップＳＡ３の実行処理に進む。
【０１１３】
次に、制御装置２４は、絞り装置４１の開度を開状態にする（ステップＳＡ３）。このとき絞り装置４１の開度を全開もしくはそれに近い大きい開度にすると、絞り装置４１での圧力損失が小さくなる。そのため、空気調和装置１００Ａは、負荷側熱交換器５３へ流入する冷媒の圧力及び冷媒の温度を高くすることができ、アキュムレータ１３へガス冷媒が戻りやすくなる。制御装置２４は、ステップＳＡ３の処理を行うと、ステップＳＡ４の実行処理に進む。
【０１１４】
次に、制御装置２４は、圧縮機１０を運転させる（ステップＳＡ４）。すなわち、制御装置２４は、冷房運転開始時に、少なくとも１つ以上のバイパス開閉装置を開状態にして圧縮機１０を運転する。ステップＳＡ１からステップＳＡ４の処理に基づき圧縮機１０を動作させることによって、圧縮機１０から吐出された高温高圧のガス冷媒が、第１バイパス配管３０又は第２バイパス配管３２のいずれか１つ以上を通る。そして、圧縮機１０から吐出された高温高圧のガス冷媒は、アキュムレータ１３に流入するために、第１バイパス開閉装置３１又は第２バイパス開閉装置３３等のバイパス開閉装置を通る。圧縮機１０から吐出された高温高圧のガス冷媒は、第１バイパス開閉装置３１等のバイパス開閉装置を通る際に減圧されて低圧冷媒となる。そして、冷媒は、減圧時に温度も下がるため、第１バイパス開閉装置３１等のバイパス開閉装置を通過した直後の冷媒は、低圧の中温冷媒となる。この低圧の中温冷媒は、アキュムレータ１３内の冷媒を蒸発させる能力がある過熱度の大きい低圧のガス冷媒である。空気調和装置１００Ａは、圧縮機１０から吐出された過熱度の大きいガス冷媒を、熱源側熱交換器１２又は負荷側熱交換器５３をバイパスさせ、直接アキュムレータ１３内へ流入させることができる。その結果、空気調和装置１００Ａは、アキュムレータ１３内に過熱度の大きい低圧のガス冷媒を流入させることによって、アキュムレータ１３内に溜まった液冷媒を加熱して蒸発させることでガス化させ、冷凍サイクルのシステム圧力を上昇させることができる。制御装置２４は、ステップＳＡ４の処理を行うと、ステップＳＡ５の判定処理に進む。
【０１１５】
なお、ステップＳＡ４の際、制御装置２４は、室内送風機５４を停止もしくは室内送風機５４の回転数を低くするように制御してもよい。制御装置２４が、室内送風機５４を停止もしくは室内送風機５４の回転数を低くするように制御することで、空気調和装置１００Ａは、負荷側熱交換器５３で冷媒が凝縮する量を減らすことができる。その結果、空気調和装置１００Ａは、アキュムレータ１３内に溜まった冷媒を効率良くガス化させることができる。
【０１１６】
次に、制御装置２４は、第１圧力検出装置２０の検出値Ｐ１が任意の設定値である設定値Ｐａ以上であるか否かを判定し、第２圧力検出装置２１の検出値Ｐ２が任意の設定値である設定値Ｐｂ以上であるか否かを判定する。そして、制御装置２４は、第１圧力検出装置２０の検出値Ｐ１が設定値Ｐａ以上であるか否か、または、第２圧力検出装置２１の検出値Ｐ２が設定値Ｐｂ以上であるか否か、のいずれかの条件を満たすか否かを判定する（ステップＳＡ５）。制御装置２４は、いずれかの条件を満たしていると判定した場合（ステップＳＡ５がＹＥＳの場合）には、アキュムレータ１３から液冷媒を追い出すことができたと判断し、冷房起動制御機能を終了させ、通常の冷房運転モードに移行させる。制御装置２４は、いずれの条件も満たしていないと判定した場合（ステップＳＡ５がＮＯの場合）には、アキュムレータ１３には液冷媒が存在すると判断し、ステップＳＡ４の判定処理に戻る。
【０１１７】
なお、ステップＳＡ５における冷房起動制御機能の終了条件の判定方法について、前述の方法に限るものではない。冷房起動制御機能の終了は、第１圧力検出装置２０の検出値又は第２圧力検出装置２１の検出値よって求められる値、例えば、冷媒の飽和温度等で判定してもよい。あるいは、冷房起動制御機能の終了は、アキュムレータ１３の流入側に冷媒の温度を検出するための温度検出装置（図示は省略）を設け、アキュムレータ１３に流入する冷媒の過熱度を求めて、それを終了条件の判定値として用いてもよい。あるいは、制御装置２４は、計時装置２７を用いて、冷房起動制御機能の開始からの経過時間が設定時間に達した場合に冷房起動制御機能を終了させてもよい。すなわち、制御装置２４は、第１圧力検出装置２０もしくは第２圧力検出装置２１の内の少なくとも１つ以上の検出値が閾値以下の場合、または、起動制御機能の開始からの経過時間が設定時間に達した場合に起動制御機能を終了させてもよい。
【０１１８】
空気調和装置１００Ａは、図６に示すように、第１圧力検出装置２０あるいは第２圧力検出装置２１の検出値が設定値以下の場合に冷房起動制御機能を実施してもよい。したがって、制御装置２４は、空気調和装置１００Ａの空調運転を開始する際に、室外温度検出装置２３、第１圧力検出装置２０、または、第２圧力検出装置２１の内、少なくともいずれか１つ以上の検出値に基づいて、起動制御機能を実施することができる。この場合、制御装置２４は、ステップＳＡ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。また、図１０に示す冷房起動制御機能の開始条件は、冷房運転開始時を起点としているが冷房起動制御機能の開始条件は、冷房運転開始時を起点としなくてもよい。例えば、空気調和装置１００Ａが停止している状態においても、空気調和装置１００Ａは、一定時間間隔で冷房起動制御機能を実施してもよい。制御装置２４は、空気調和装置１００Ａが停止中に、設定された時間の間隔ごとに、室外温度検出装置２３、第１圧力検出装置２０、または、前記第２圧力検出装置２１の内の少なくともいずれか１つ以上の検出値に基づいて、起動制御機能を実施することができる。この場合制御装置２４は、検出値が設定値以下の場合に冷房起動制御機能を実施する。すなわち、制御装置２４は、ステップＳＡ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。空気調和装置１００Ａは、冷房起動制御機能を実行することで、アキュムレータ１３へ冷媒が溜まることを防止することができるため、外気の温度が低い条件での冷房運転の開始時における熱媒体の凍結を防止することができる。
【０１１９】
空気調和装置１００Ａは、冷房起動制御機能を実施することによって、アキュムレータ１３に溜まった液冷媒を効率良くガス化させることができる。空気調和装置１００Ａは、外気の温度が低い条件での冷房運転の開始時において、アキュムレータ１３へ冷媒が多く溜まっていることによってシステム圧力が低い状態となり、負荷側熱交換器５３への着霜によって生じる冷房能力の低下を改善することができる。
【０１２０】
［暖房運転モード時の暖房起動制御機能］
次に、図１０を用いて、外気の温度が低い条件での暖房運転の開始時において、実施の形態２に係る空気調和装置１００Ａのアキュムレータ１３に溜まった冷媒を追い出す暖房起動制御機能について説明する。
【０１２１】
図１０は、暖房運転モード時における暖房起動制御機能の動作を表すフローチャートでもある。空気調和装置１００Ａは、使用者によってリモートコントローラ３５が操作され、暖房運転を開始するときに暖房起動制御機能を開始し、図１０に示すフローチャートに従った動作を行う。なお、空気調和装置１００Ａにおいて、図１０に示すフローチャートで動作が規定されていない各種装置については、前述の暖房運転モードに従った動作が行われる。
【０１２２】
まず、制御装置２４は、室外温度検出装置２３の検出温度Ｔｏｕｔが任意の設定値である設定値Ｔａ以下であるか否かを判定する（ステップＳＡ１）。なお、室外温度が低いほどアキュムレータ１３へ冷媒が溜まりやすいので、設定値Ｔａは、例えば５℃等で設定するとよい。室外温度検出装置２３の検出温度Ｔｏｕｔが設定値Ｔａよりも大きいと制御装置２４が判定した場合（ステップＳＡ１がＮＯの場合）には、制御装置２４は、暖房起動制御機能を実施せず、前述の暖房運転モードの動作を行う。室外温度検出装置２３の検出温度Ｔｏｕｔが設定値Ｔａ以下であると制御装置２４が判定した場合（ステップＳＡ１がＹＥＳの場合）には、制御装置２４は、アキュムレータ１３には液冷媒が存在していると判断し、ステップＳＡ２の実行処理に進む。
【０１２３】
次に、制御装置２４は、第１バイパス開閉装置３１または第２バイパス開閉装置３３のいずれか１つ以上を開状態とする（ステップＳＡ２）。ステップＳＡ２では、制御装置２４が、２つのバイパス開閉装置の内いずれか１つ以上を開くとしているが、空気調和装置１００Ａは、開くバイパス開閉装置の数が多い方が、アキュムレータ１３内の液冷媒を早くガス化させることができる。制御装置２４は、ステップＳＡ２の処理を行うと、ステップＳＡ３の実行処理に進む。
【０１２４】
次に、制御装置２４は、絞り装置４１の開度を開状態にする（ステップＳＡ３）。このとき絞り装置４１の開度を全開もしくはそれに近い大きい開度にすると、絞り装置４１での圧力損失が小さくなる。そのため、空気調和装置１００Ａは、負荷側熱交換器５３へ流入する冷媒の圧力及び冷媒の温度を低くすることができ、負荷側熱交換器５３を流れる冷媒が凝縮しにくくなることで、アキュムレータ１３へガス冷媒が戻りやすくなる。制御装置２４は、ステップＳＡ３の処理を行うと、ステップＳＡ４の実行処理に進む。
【０１２５】
次に、制御装置２４は、圧縮機１０を運転させる（ステップＳＡ４）。すなわち、制御装置２４は、暖房運転開始時に、少なくとも１つ以上のバイパス開閉装置を開状態にして圧縮機１０を運転する。ステップＳＡ１からステップＳＡ４の処理に基づき圧縮機１０を動作させることによって、圧縮機１０から吐出された高温高圧のガス冷媒が、第１バイパス配管３０又は第２バイパス配管３２のいずれか１つ以上を通る。そして、圧縮機１０から吐出された高温高圧のガス冷媒は、アキュムレータ１３に流入するために、第１バイパス開閉装置３１又は第２バイパス開閉装置３３等のバイパス開閉装置を通る。圧縮機１０から吐出された高温高圧のガス冷媒は、第１バイパス開閉装置３１等のバイパス開閉装置を通る際に減圧されて低圧冷媒となる。そして、冷媒は、減圧時に温度も下がるため、第１バイパス開閉装置３１等のバイパス開閉装置を通過した直後の冷媒は、低圧の中温冷媒となる。この低圧の中温冷媒は、アキュムレータ１３内の冷媒を蒸発させる能力がある過熱度の大きい低圧のガス冷媒である。空気調和装置１００Ａは、圧縮機１０から吐出された過熱度の大きいガス冷媒を、熱源側熱交換器１２又は負荷側熱交換器５３をバイパスさせ、直接アキュムレータ１３内へ流入させることができる。その結果、空気調和装置１００Ａは、アキュムレータ１３内に過熱度の大きい低圧のガス冷媒を流入させることによって、アキュムレータ１３内に溜まった液冷媒を加熱して蒸発させることでガス化させ、冷凍サイクルのシステム圧力を上昇させることができる。制御装置２４は、ステップＳＡ４の処理を行うと、ステップＳＡ５の判定処理に進む。
【０１２６】
次に、制御装置２４は、第１圧力検出装置２０の検出値Ｐ１が任意の設定値である設定値Ｐａ以上であるか否かを判定し、第２圧力検出装置２１の検出値Ｐ２が任意の設定値である設定値Ｐｂ以上であるか否かを判定する。そして、制御装置２４は、第１圧力検出装置２０の検出値Ｐ１が設定値Ｐａ以上であるか否か、または、第２圧力検出装置２１の検出値Ｐ２が設定値Ｐｂ以上であるか否か、のいずれかの条件を満たすか否かを判定する（ステップＳＡ５）。制御装置２４は、いずれかの条件を満たしていると判定した場合（ステップＳＡ５がＹＥＳの場合）には、アキュムレータ１３から液冷媒を追い出すことができたと判断し、暖房起動制御機能を終了させ、通常の暖房運転モードに移行させる。制御装置２４は、いずれの条件も満たしていないと判定した場合（ステップＳＡ５がＮＯの場合）には、アキュムレータ１３には液冷媒が存在すると判断し、ステップＳＡ４の判定処理に戻る。
【０１２７】
なお、ステップＳＡ５における暖房起動制御機能の終了条件の判定方法について、前述の方法に限るものではない。暖房起動制御機能の終了は第１圧力検出装置２０の検出値又は第２圧力検出装置２１の検出値よって求められる値、例えば、冷媒の飽和温度等で判定してもよい。あるいは、暖房起動制御機能の終了は、アキュムレータ１３の流入側に冷媒の温度を検出するための温度検出装置（図示は省略）を設け、アキュムレータ１３に流入する冷媒の過熱度を求めて、それを終了条件の判定値として用いてもよい。あるいは、制御装置２４は、計時装置２７を用いて、暖房起動制御機能の開始からの経過時間が設定時間に達した場合に暖房起動制御機能を終了させてもよい。すなわち、制御装置２４は、第１圧力検出装置２０もしくは第２圧力検出装置２１の内の少なくとも１つ以上の検出値が閾値以下の場合、または、起動制御機能の開始からの経過時間が設定時間に達した場合に起動制御機能を終了させてもよい。
【０１２８】
空気調和装置１００Ａは、図６に示すように、第１圧力検出装置２０あるいは第２圧力検出装置２１の検出値が設定値以下の場合に暖房起動制御機能を実施してもよい。したがって、制御装置２４は、空気調和装置１００Ａの空調運転を開始する際に、室外温度検出装置２３、第１圧力検出装置２０、または、第２圧力検出装置２１の内、少なくともいずれか１つ以上の検出値に基づいて、起動制御機能を実施することができる。この場合、制御装置２４は、ステップＳＡ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば暖房起動制御機能を実施する。また、図１０に示す暖房起動制御機能の開始条件は、暖房運転開始時を起点としているが暖房起動制御機能の開始条件は、暖房運転開始時を起点としなくてもよい。例えば、空気調和装置１００Ａが停止している状態においても、空気調和装置１００Ａは、一定時間間隔で暖房起動制御機能を実施してもよい。制御装置２４は、空気調和装置１００Ａが停止中に、設定された時間の間隔ごとに、室外温度検出装置２３、第１圧力検出装置２０、または、前記第２圧力検出装置２１の内の少なくともいずれか１つ以上の検出値に基づいて、起動制御機能を実施することができる。この場合制御装置２４は、検出値が設定値以下の場合に暖房起動制御機能を実施する。すなわち、制御装置２４は、ステップＳＡ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば暖房起動制御機能を実施する。空気調和装置１００Ａは、暖房起動制御機能を実行することで、アキュムレータ１３へ冷媒が溜まることを防止することができるため、外気の温度が低い条件での暖房運転の開始時における暖房能力の低下を防止することができる。
【０１２９】
空気調和装置１００Ａは、暖房起動制御機能を実施することによって、アキュムレータ１３に溜まった液冷媒を効率良くガス化させることができる。そのため、空気調和装置１００Ａは、外気の温度が低い条件での暖房運転の開始時において、アキュムレータ１３へ冷媒が多く溜まっている場合のシステム圧力の低下による暖房能力低下を抑制することができる。
【０１３０】
［空気調和装置１００Ａの作用効果］
空気調和装置１００Ａは、バイパス開閉装置を制御し、アキュムレータ１３内に過熱度の大きい低圧のガス冷媒を流入させる起動制御機能を実施する制御装置２４を有するものである。そのため、空気調和装置１００Ａは、室外の温度が低い運転条件においてもアキュムレータ１３に溜まってしまった液冷媒をガス化させることで冷媒回路１０１内に冷媒を循環させることができる。その結果、空気調和装置１００Ａは、室外の温度が低い運転条件においても冷房運転時の熱媒体の凍結、あるいは、暖房運転時の熱源側熱交換器１２の着霜に起因する能力の低下を抑制できるものである。
【０１３１】
実施の形態３．
［空気調和装置１００Ｂ］
図１１は、実施の形態３に係る空気調和装置１００Ｂの回路構成の一例を示す概略回路構成図である。なお、実施の形態３に係る空気調和装置１００Ｂにおいて特に記述しない項目については、実施の形態１に係る空気調和装置１００と同様とし、同一の機能及び構成については同一の符号を用いて述べることとする。また、実施の形態３に係る空気調和装置１００Ｂの回路構成は、実施の形態２に係る空気調和装置１００Ａと同じであるため、説明を省略する。更に、実施の形態３に係る空気調和装置１００Ｂの冷房運転モード及び暖房運転モードの動作についても実施の形態２に係る空気調和装置１００Ａと同じため、説明を省略する。実施の形態３に係る空気調和装置１００Ｂは、冷房起動制御機能の動作において、実施の形態２に係る空気調和装置１００Ａと異なる。そのため、以下の説明では、実施の形態３に係る空気調和装置１００Ｂの冷房起動制御機能の動作を中心に説明する。
【０１３２】
［冷房運転モード時の冷房起動制御機能］
図１２は、実施の形態３に係る空気調和装置１００Ｂの冷房起動制御機能の動作を示すフローチャートである。次に、図１２を用いて、外気の温度が低い条件での冷房運転の開始時において、実施の形態３に係る空気調和装置１００Ｂのアキュムレータ１３に溜まった冷媒を追い出す冷房起動制御機能について説明する。
【０１３３】
図１２は、空気調和装置１００Ｂの冷房運転モード時における冷房起動制御機能の動作を表すフローチャートである。空気調和装置１００Ｂは、使用者によってリモートコントローラ３５が操作され、冷房運転を開始するときに冷房起動制御機能を開始し、図１２に示すフローチャートに従った動作を行う。なお、空気調和装置１００Ｂにおいて、図１２に示すフローチャートで動作が規定されていない各種装置については、前述の冷房運転モードに従った動作が行われる。
【０１３４】
まず、制御装置２４は、室外温度検出装置２３の検出温度Ｔｏｕｔが任意の設定値である設定値Ｔａ以下であるか否かを判定する（ステップＳＢ１）。なお、室外温度が低いほどアキュムレータ１３へ液冷媒が溜まりやすいので、設定値Ｔａは、例えば５℃等で設定するとよい。室外温度検出装置２３の検出温度Ｔｏｕｔが設定値Ｔａよりも大きいと制御装置２４が判定した場合（ステップＳＢ１がＮＯの場合）には、制御装置２４は、冷房起動制御機能を実施せず、前述の冷房運転モードの動作を行う。室外温度検出装置２３の検出温度Ｔｏｕｔが設定値Ｔａ以下であると制御装置２４が判定した場合（ステップＳＢ１がＹＥＳの場合）には、制御装置２４は、アキュムレータ１３には液冷媒が存在していると判断し、ステップＳＢ２の実行処理に進む。
【０１３５】
次に、制御装置２４は、第１バイパス開閉装置３１または第２バイパス開閉装置３３のいずれか１つ以上を開状態とする（ステップＳＢ２）。ステップＳＢ２では、制御装置２４が、２つのバイパス開閉装置の内いずれか１つ以上を開くとしているが、空気調和装置１００Ｂは、開くバイパス開閉装置の数が多い方が、アキュムレータ１３内の液冷媒を早くガス化させることができる。制御装置２４は、ステップＳＢ２の処理を行うと、ステップＳＢ３の実行処理に進む。
【０１３６】
次に、制御装置２４は、絞り装置４１の開度を開状態にする（ステップＳＢ３）。制御装置２４は、ステップＳＢ３の処理を行うと、ステップＳＢ４の実行処理に進む。
【０１３７】
次に、制御装置２４は、冷媒流路切替装置１１の向きを暖房運転モードの向きにし、負荷側熱交換器５３へ圧縮機１０の吐出冷媒が供給されるようにする（ステップＳＢ４）。このとき、絞り装置４１の開度を全開もしくはそれに近い大きい開度にすると、絞り装置４１での圧力損失が小さくなる。そのため、空気調和装置１００Ｂは、負荷側熱交換器５３へ流入する冷媒の圧力を低くすることができる。このようにすると、負荷側熱交換器５３で冷媒が凝縮する量が減るため、アキュムレータ１３へガス冷媒が戻りやすくなる。制御装置２４は、ステップＳＢ４の処理を行うと、ステップＳＢ５の実行処理に進む。
【０１３８】
次に、制御装置２４は、圧縮機１０を運転させる（ステップＳＢ５）。すなわち、制御装置２４は、冷房運転開始時に冷媒流路切替装置１１を暖房運転時の向きに切り替え、少なくとも１つ以上のバイパス開閉装置を開状態にし、圧縮機１０を運転する。ステップＳＢ１からステップＳＢ５の処理に基づき圧縮機１０を動作させることによって、圧縮機１０から吐出された高温高圧のガス冷媒が、第１バイパス配管３０又は第２バイパス配管３２のいずれか１つ以上を通る。そして、圧縮機１０から吐出された高温高圧のガス冷媒は、アキュムレータ１３に流入するために、第１バイパス開閉装置３１又は第２バイパス開閉装置３３等のバイパス開閉装置を通る。圧縮機１０から吐出された高温高圧のガス冷媒は、第１バイパス開閉装置３１等のバイパス開閉装置を通る際に減圧されて低圧冷媒となる。そして、冷媒は、減圧時に温度も下がるため、第１バイパス開閉装置３１等のバイパス開閉装置を通過した直後の冷媒は、低圧の中温冷媒となる。この低圧の中温冷媒は、アキュムレータ１３内の冷媒を蒸発させる能力がある過熱度の大きい低圧のガス冷媒である。空気調和装置１００Ｂは、圧縮機１０から吐出された過熱度の大きいガス冷媒を、熱源側熱交換器１２又は負荷側熱交換器５３をバイパスさせ、直接アキュムレータ１３内へ流入させることができる。その結果、空気調和装置１００Ｂは、アキュムレータ１３内に過熱度の大きい低圧のガス冷媒を流入させることによって、アキュムレータ１３内に溜まった液冷媒を加熱して蒸発させることでガス化させ、冷凍サイクルのシステム圧力を上昇させることができる。制御装置２４は、ステップＳＢ５の処理を行うと、ステップＳＢ６の判定処理に進む。
【０１３９】
なお、ステップＳＢ５の際、制御装置２４は、室内送風機５４を停止もしくは室内送風機５４の回転数を低くするように制御してもよい。制御装置２４が、室内送風機５４を停止もしくは室内送風機５４の回転数を低くするように制御することで、空気調和装置１００Ｂは、負荷側熱交換器５３で冷媒が凝縮する量を減らすことができる。その結果、空気調和装置１００Ｂは、アキュムレータ１３内に溜まった冷媒を効率良くガス化させることができる。また、実施の形態３に係る空気調和装置１００Ｂの冷房起動制御機能では、冷媒流路切替装置１１を暖房運転モードの向きにしており、空気調和装置１００Ｂは、負荷側熱交換器５３が凝縮器となる暖房運転モードと似たような動きとなる。そのため、室内空気を温めないように、空気調和装置１００Ｂは、室内送風機５４は停止し、もしくは、室内送風機５４の回転数を低くする必要がある。
【０１４０】
次に、制御装置２４は、第１圧力検出装置２０の検出値Ｐ１が任意の設定値である設定値Ｐａ以上であるか否かを判定し、第２圧力検出装置２１の検出値Ｐ２が任意の設定値である設定値Ｐｂ以上であるか否かを判定する。そして、制御装置２４は、第１圧力検出装置２０の検出値Ｐ１が設定値Ｐａ以上であるか否か、または、第２圧力検出装置２１の検出値Ｐ２が設定値Ｐｂ以上であるか否か、のいずれかの条件を満たすか否かを判定する（ステップＳＢ６）。制御装置２４は、いずれかの条件を満たしていると判定した場合（ステップＳＢ６がＹＥＳの場合）には、アキュムレータ１３から液冷媒を追い出すことができたと判断し、冷房起動制御機能を終了させ、通常の冷房運転モードに移行させる。制御装置２４は、いずれの条件も満たしていないと判定した場合（ステップＳＢ６がＮＯの場合）には、アキュムレータ１３には液冷媒が存在すると判断し、ステップＳＢ５の判定処理に戻る。
【０１４１】
なお、ステップＳＢ６における冷房起動制御機能の終了条件の判定方法について、前述の方法に限るものではない。冷房起動制御機能の終了は、第１圧力検出装置２０の検出値又は第２圧力検出装置２１の検出値よって求められる値、例えば、冷媒の飽和温度等で判定してもよい。あるいは、冷房起動制御機能の終了は、アキュムレータ１３の流入側に冷媒の温度を検出するための温度検出装置（図示は省略）を設け、アキュムレータ１３に流入する冷媒の過熱度を求めて、それを終了条件の判定値として用いてもよい。あるいは、制御装置２４は、計時装置２７を用いて、冷房起動制御機能の開始からの経過時間が設定時間に達した場合に冷房起動制御機能を終了させてもよい。すなわち、制御装置２４は、第１圧力検出装置２０もしくは第２圧力検出装置２１の内の少なくとも１つ以上の検出値が閾値以下の場合、または、起動制御機能の開始からの経過時間が設定時間に達した場合に起動制御機能を終了させてもよい。
【０１４２】
空気調和装置１００Ｂは、冷房起動制御機能を実施することによって、アキュムレータ１３に溜まった液冷媒を効率良くガス化させることができる。空気調和装置１００Ｂは、外気の温度が低い条件での冷房運転の開始時において、アキュムレータ１３内に冷媒が多く溜まっていることによってシステム圧力が低い状態となり、負荷側熱交換器５３への着霜によって生じる冷房能力の低下を改善することができる。
【０１４３】
［空気調和装置１００Ｂの作用効果］
空気調和装置１００Ｂは、バイパス開閉装置を制御し、アキュムレータ１３内に過熱度の大きい低圧のガス冷媒を流入させる起動制御機能を実施する制御装置２４を有するものである。そのため、空気調和装置１００Ｂは、室外の温度が低い運転条件においてもアキュムレータ１３に溜まってしまった液冷媒をガス化させることで冷媒回路１０１内に冷媒を循環させることができる。その結果、空気調和装置１００Ｂは、室外の温度が低い運転条件においても冷房運転時の熱媒体の凍結に起因する能力の低下を抑制できるものである。
【０１４４】
空気調和装置１００Ｂは、図６に示すように、第１圧力検出装置２０あるいは第２圧力検出装置２１の検出値が設定値以下の場合に冷房起動制御機能を実施してもよい。したがって、制御装置２４は、空気調和装置１００Ｂの空調運転を開始する際に、室外温度検出装置２３、第１圧力検出装置２０、または、第２圧力検出装置２１の内、少なくともいずれか１つ以上の検出値に基づいて、起動制御機能を実施することができる。この場合、制御装置２４は、ステップＳＢ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。また、図１２に示す冷房起動制御機能の開始条件は、冷房運転開始時を起点としているが冷房起動制御機能の開始条件は、冷房運転開始時を起点としなくてもよい。例えば、空気調和装置１００Ｂが停止している状態においても、空気調和装置１００Ｂは、一定時間間隔で冷房起動制御機能を実施してもよい。制御装置２４は、空気調和装置１００Ｂが停止中に、設定された時間の間隔ごとに、室外温度検出装置２３、第１圧力検出装置２０、または、前記第２圧力検出装置２１の内の少なくともいずれか１つ以上の検出値に基づいて、起動制御機能を実施することができる。この場合制御装置２４は、検出値が設定値以下の場合に冷房起動制御機能を実施する。すなわち、制御装置２４は、ステップＳＢ１において、第１圧力検出装置２０の検出値Ｐ１が設定値Ｐｆ以下の場合、第２圧力検出装置２１の検出値Ｐ２が設定値Ｐｇ以下の場合、または、室外温度検出装置２３の検出温度Ｔｏｕｔが設定値Ｔａ以下の場合のいずれか１つを満たせば冷房起動制御機能を実施する。空気調和装置１００Ｂは、冷房起動制御機能を実行することで、アキュムレータ１３へ冷媒が溜まることを防止することができるため、外気の温度が低い条件での冷房運転の開始時における熱媒体の凍結を防止することができる。
【０１４５】
また、実施の形態２に係る空気調和装置１００Ａにおける冷房起動制御機能では、負荷側熱交換器５３へ低温低圧の冷媒を流すため負荷側熱交換器５３に着霜が発生する恐れがあった。しかし、実施の形態３に係る空気調和装置１００Ｂにおける冷房起動制御では、負荷側熱交換器５３に高温高圧の冷媒を供給するため、負荷側熱交換器５３に着霜の恐れが無いという利点がある。
【０１４６】
また、実施の形態３に係る空気調和装置１００Ｂの冷房起動制御機能は、実施の形態１に係る空気調和装置１００に示すような冷媒回路１０１と熱媒体回路１０２とからなる二次ループ方式の空気調和装置１００でも有効である。例えば、図１２で示している実施の形態３に係る空気調和装置１００Ｂの冷房起動制御機能を、そのまま実施の形態１に係る空気調和装置１００へ適用してもよい。この場合、空気調和装置１００は、熱媒体熱交換器６１に圧縮機１０の吐出ガスが供給されることになり、熱媒体熱交換器６１内での熱媒体の凍結の恐れを無くすことができる。
【０１４７】
また、制御装置２４は、冷房運転開始時に冷媒流路切替装置１１を暖房運転時の向きに切り替え、少なくとも１つ以上のバイパス開閉装置を開状態にし、圧縮機１０を運転する。その結果、空気調和装置１００Ｂは、負荷側熱交換器５３で冷媒が凝縮する量が減るため、アキュムレータ１３へガス冷媒が戻りやすくなる。
【０１４８】
また、これまでに示した実施の形態１〜３に係る空気調和装置１００等の回路構成の一例を表す図では、バイパス配管とバイパス開閉装置とが室外機１と熱媒体変換機６０との内部にあるように示したが、空気調和装置１００等は当該構成に限定されるものではない。空気調和装置１００等は、バイパス配管とバイパス開閉装置とが室外機１と熱媒体変換機６０との外部に設けられていてもよく、空気調和装置１００等は、当該構成でも同様に効果を得ることができる。
【０１４９】
また、実施の形態１〜実施の形態３では、空気調和装置１００等は、室外機１が１台の場合を例に説明を行ったが、室外機１の台数を１台に限定するものではない。すなわち、空気調和装置１００等は、圧縮機１０と、冷媒流路切替装置１１と、熱源側熱交換器１２と、アキュムレータ１３とを少なくとも筐体内部に収納した室外機１を複数有してもよい。複数の室外機１のそれぞれは、制御装置２４の制御によって、起動制御機能による動作を実施する。空気調和装置１００等は、複数の室外機１がそれぞれで各実施の形態で規定する冷房及び暖房の起動制御機能を実施すればよく、室外機１が複数であっても同様の効果を得ることができる。
【０１５０】
空気調和装置１００等は、複数の室内機２を接続したシステムにおいて、接続されている全ての室内機２が冷房運転または暖房運転のいずれか一方のみを同時に行うシステムに限定されるものではない。空気調和装置１００等は、複数の室内機２を接続したシステムにおいて、室内機２に応じて冷房運転と暖房運転とを個別に行い、全体として冷房運転と暖房運転とを同時に行うシステムであってもよい。すなわち、空気調和装置１００は、負荷側熱交換器５３を少なくとも筐体の内部に収納した室内機２を複数有し、複数の室内機２の中の一部の室内機２による冷房運転と、他の一部の室内機２による暖房運転とが同時に行われる空調運転モードを備えていてもよい。空気調和装置１００等は、圧縮機１０から吐出される冷媒が熱源側熱交換器１２あるいは負荷側熱交換器５３をバイパスする回路を有していれば、同様の効果を得ることができる。
【０１５１】
また、実施の形態１〜実施の形態３では、室外機１に１台の圧縮機１０が搭載されている場合を例に説明を行ったが、圧縮機１０が２台または複数台搭載された室外機１であってもよい。
【０１５２】
なお、上記の各実施の形態１〜３は、互いに組み合わせて実施することが可能である。また、以上の実施の形態に示した構成は、一例を示すものであり、別の公知の技術と組み合わせることも可能であるし、要旨を逸脱しない範囲で、構成の一部を省略、変更することも可能である。
【符号の説明】
【０１５３】
１  室外機、２  室内機、３  冷媒主管、４  冷媒配管、１０  圧縮機、１１  冷媒流路切替装置、１２  熱源側熱交換器、１３  アキュムレータ、１４  室外送風機、２０  第１圧力検出装置、２１  第２圧力検出装置、２２  第１温度検出装置、２３  室外温度検出装置、２４  制御装置、２５  メモリ、２６  ＣＰＵ、２７  計時装置、３０  第１バイパス配管、３１  第１バイパス開閉装置、３２  第２バイパス配管、３３  第２バイパス開閉装置、３５  リモートコントローラ、４１  絞り装置、４２  第３バイパス配管、４３  第３バイパス開閉装置、５０  第２温度検出装置、５１  第３温度検出装置、５２  第４温度検出装置、５３  負荷側熱交換器、５４  室内送風機、６０  熱媒体変換機、６１  熱媒体熱交換器、６２  ポンプ、６３  熱媒体流量調整装置、６４  熱媒体配管、１００  空気調和装置、１００Ａ  空気調和装置、１００Ｂ  空気調和装置、１０１  冷媒回路、１０２  熱媒体回路。
【図１】
2021014644.tif 000003
【図２】
2021014644.tif 000004
【図３】
2021014644.tif 000005
【図４】
2021014644.tif 000006
【図５】
2021014644.tif 000007
【図６】
2021014644.tif 000008
【図７】
2021014644.tif 000009
【図８】
2021014644.tif 000010
【図９】
2021014644.tif 000011
【図１０】
2021014644.tif 000012
【図１１】
2021014644.tif 000013
【図１２】
2021014644.tif 000014
【手続補正書】
【提出日】令和3年8月6日(2021.8.6)
【手続補正１】
【補正対象書類名】明細書
【補正対象項目名】０００８
【補正方法】変更
【補正の内容】
【０００８】
本発明に係る空気調和装置は、圧縮機、冷媒流路切替装置、熱源側熱交換器、絞り装置、熱媒体熱交換器及びアキュムレータが冷媒配管で接続され、冷媒を循環させる冷媒回路と、ポンプ、熱媒体熱交換器、熱媒体流量調整装置及び負荷側熱交換器が熱媒体配管で接続され、熱媒体を循環させる熱媒体回路と、冷媒回路内に、圧縮機から吐出された冷媒が熱源側熱交換器及び熱媒体熱交換器をバイパスするように設けられた、少なくとも１つ以上のバイパス配管と、バイパス配管の管路の途中に設けられたバイパス開閉装置と、バイパス開閉装置を制御し、圧縮機からバイパス開閉装置を介して直接アキュムレータ内に過熱度の大きい低圧のガス冷媒を流入させる起動制御機能を実施する制御装置と、を有するものである。
【手続補正２】
【補正対象書類名】明細書
【補正対象項目名】０００９
【補正方法】変更
【補正の内容】
【０００９】
本発明に係る空気調和装置は、圧縮機、冷媒流路切替装置、熱源側熱交換器、絞り装置、負荷側熱交換器及びアキュムレータが冷媒配管で接続され、冷媒を循環させる冷媒回路と、冷媒回路内に、圧縮機から吐出された冷媒が熱源側熱交換器及び負荷側熱交換器をバイパスするように設けられた、少なくとも１つ以上のバイパス配管と、バイパス配管の管路の途中に設けられたバイパス開閉装置と、バイパス開閉装置を制御し、圧縮機からバイパス開閉装置を介して直接アキュムレータ内に過熱度の大きい低圧のガス冷媒を流入させる起動制御機能を実施する制御装置と、を有すものである。
【手続補正３】
【補正対象書類名】特許請求の範囲
【補正対象項目名】全文
【補正方法】変更
【補正の内容】
【特許請求の範囲】
【請求項１】
圧縮機、冷媒流路切替装置、熱源側熱交換器、絞り装置、熱媒体熱交換器及びアキュムレータが冷媒配管で接続され、冷媒を循環させる冷媒回路と、
ポンプ、前記熱媒体熱交換器、熱媒体流量調整装置及び負荷側熱交換器が熱媒体配管で接続され、熱媒体を循環させる熱媒体回路と、
前記冷媒回路内に、前記圧縮機から吐出された前記冷媒が前記熱源側熱交換器及び前記熱媒体熱交換器をバイパスするように設けられた、少なくとも１つ以上のバイパス配管と、
前記バイパス配管の管路の途中に設けられたバイパス開閉装置と、
前記バイパス開閉装置を制御し、前記圧縮機から前記バイパス開閉装置を介して直接前記アキュムレータ内に過熱度の大きい低圧のガス冷媒を流入させる起動制御機能を実施する制御装置と、を有する空気調和装置。
【請求項２】
圧縮機、冷媒流路切替装置、熱源側熱交換器、絞り装置、負荷側熱交換器及びアキュムレータが冷媒配管で接続され、冷媒を循環させる冷媒回路と、
前記冷媒回路内に、前記圧縮機から吐出された前記冷媒が前記熱源側熱交換器及び前記負荷側熱交換器をバイパスするように設けられた、少なくとも１つ以上のバイパス配管と、
前記バイパス配管の管路の途中に設けられたバイパス開閉装置と、
前記バイパス開閉装置を制御し、前記圧縮機から前記バイパス開閉装置を介して直接前記アキュムレータ内に過熱度の大きい低圧のガス冷媒を流入させる起動制御機能を実施する制御装置と、を有する空気調和装置。
【請求項３】
前記制御装置は、
前記ポンプ及び前記熱媒体流量調整装置を動かした後に、前記圧縮機を動かす請求項１記載の空気調和装置。
【請求項４】
室外の周囲温度を検知する室外温度検出装置、前記圧縮機の吐出圧力を検知する第１圧力検出装置、または、前記圧縮機の吸入圧力を検知する第２圧力検出装置の内、いずれか１つ以上を更に有しており、
前記制御装置は、
空調運転を開始する際に、前記室外温度検出装置、前記第１圧力検出装置、または、前記第２圧力検出装置の内、少なくともいずれか１つ以上の検出値に基づいて、前記検出値が設定値以下の場合に前記起動制御機能を実施する請求項１〜３のいずれか１項に記載の空気調和装置。
【請求項５】
室外の周囲温度を検知する室外温度検出装置、前記圧縮機の吐出圧力を検知する第１圧力検出装置、または、前記圧縮機の吸入圧力を検知する第２圧力検出装置の内、いずれか１つ以上を更に有しており、
前記制御装置は、
空気調和装置が停止中に、設定された時間の間隔ごとに、前記室外温度検出装置、前記第１圧力検出装置、または、前記第２圧力検出装置の内の少なくともいずれか１つ以上の検出値に基づいて、前記検出値が設定値以下の場合に前記起動制御機能を実施する請求項１〜３のいずれか１項に記載の空気調和装置。
【請求項６】
前記制御装置は、
前記第１圧力検出装置もしくは前記第２圧力検出装置の内の少なくとも１つ以上の前記検出値が閾値以上の場合、または、前記起動制御機能の開始からの経過時間が設定時間に達した場合に前記起動制御機能を終了させる請求項４又は５に記載の空気調和装置。
【請求項７】
前記制御装置は、
冷房運転開始時に、少なくとも１つ以上の前記バイパス開閉装置を開状態にして前記圧縮機を運転する請求項１〜６のいずれか１項に記載の空気調和装置。
【請求項８】
前記制御装置は、
冷房運転開始時に前記冷媒流路切替装置を暖房運転時の向きに切り替え、少なくとも１つ以上の前記バイパス開閉装置を開状態にし、前記圧縮機を運転する請求項１〜７のいずれか１項に記載の空気調和装置。
【請求項９】
前記制御装置は、
暖房運転開始時に、少なくとも１つ以上の前記バイパス開閉装置を開状態にして前記圧縮機を運転する請求項１〜６のいずれか１項に記載の空気調和装置。
【請求項１０】
前記圧縮機と、前記冷媒流路切替装置と、前記熱源側熱交換器と、前記アキュムレータとを少なくとも筐体の内部に収納した室外機を複数有し、
複数の前記室外機のそれぞれは、前記起動制御機能による動作を実施する請求項１〜９のいずれか１項に記載の空気調和装置。
【請求項１１】
前記負荷側熱交換器を少なくとも筐体の内部に収納した室内機を複数有し、
複数の前記室内機の中の一部の前記室内機による冷房運転と、他の一部の前記室内機による暖房運転とが同時に行われる空調運転モードを備えている請求項１〜１０のいずれか１項に記載の空気調和装置。
【国際調査報告】
2021014644.tif 000015
2021014644.tif 000016